(57)【特許請求の範囲】
【請求項１】
中央デバイスによって、通信イベントを察知するステップと、
前記中央デバイスによって、候補ブリッジデバイスのパラメータ情報に従って少なくとも１つのブリッジデバイスの識別子を決定するステップであって、前記少なくとも１つのブリッジデバイスのパラメータ情報は所定の条件を充足し、前記候補ブリッジデバイスのパラメータ情報は提示能力を含み、前記所定の条件は、画像が提示されるか、又は画像と音声が提示されることである、決定するステップと、
前記中央デバイスによって、前記少なくとも１つのブリッジデバイスの前記識別子に従って前記通信イベントに対応する通知情報を前記少なくとも１つのブリッジデバイスに送信し、前記少なくとも１つのブリッジデバイスが前記通知情報を提示できるようにするステップと、
を含む通信イベント通知方法。
【請求項２】
前記パラメータ情報が前記実際距離及び前記変換距離のうちの少なくとも１つであり、前記所定の条件は第１の所定の条件を有し、前記第１の所定の条件は、前記距離が最短であるか、又は前記距離が第１の所定の閾値未満であるとうことであるか、又は
前記パラメータ情報が前記伝送信号強度であり、前記所定の条件は第２の所定の条件を有し、前記第２の所定の条件は、前記信号強度が最も強いか、又は前記信号強度が第２の所定の閾値より大きいことであるか、又は
前記パラメータ情報が前記候補ブリッジデバイスの前記位置情報及び前記ウェアラブルデバイスの前記位置情報であり、前記所定の条件は第３の所定の条件を有し、前記第３の所定の条件は、所定の地理的範囲が充足されることである、請求項１に記載の通信イベント通知方法。
【請求項３】
前記実際距離が、前記候補ブリッジデバイスによって報告された前記候補ブリッジデバイスの前記位置情報及び前記ウェアラブルデバイスの前記位置情報の取得後に、前記候補ブリッジデバイスの前記位置情報及び前記ウェアラブルデバイスの前記位置情報に従って前記中央デバイスによって決定され、
前記伝送信号強度が、前記候補ブリッジデバイスによって報告された情報の取得後に、前記中央デバイスによって決定され、
前記変換距離が、前記伝送信号強度に従った計算を通じて前記中央デバイスによって取得されている、請求項１又は２に記載の通信イベント通知方法。
【請求項４】
前記少なくとも１つのブリッジデバイスの前記パラメータ情報が前記所定の条件を充足することは更に、
前記実際距離が前記第１の所定の条件を満たし、前記提示能力が前記第４の所定の条件を満たすか、又は
前記変換距離が前記第１の所定の条件を満たし、前記提示能力が前記第４の所定の条件を満たすか、又は
前記伝送信号強度が前記第２の所定の条件を満たし、前記提示能力が前記第４の所定の条件を満たすか、又は
前記候補ブリッジデバイスの前記位置情報及び前記ウェアラブルデバイスの位置情報が前記第３の所定の条件を満たし、前記提示能力が前記第４の所定の条件を満たすか、又は
前記実際距離が前記第１の所定の条件を満たし、前記伝送信号強度が前記第２の所定の条件を満たし、前記提示能力が前記第４の所定の条件を満たすか、又は
前記変換距離が前記第１の所定の条件を満たし、前記伝送信号強度が前記第２の所定の条件を満たし、前記提示能力が前記第４の所定の条件を満たすか、又は
前記実際距離が前記第１の所定の条件を満たし、前記候補ブリッジデバイスの前記位置情報及び前記ウェアラブルデバイスの前記位置情報が前記第３の所定の条件を満たし、前記提示能力が前記第４の所定の条件を満たすか、又は
前記変換距離が前記第１の所定の条件を満たし、前記候補ブリッジデバイスの前記位置情報及び前記ウェアラブルデバイスの前記位置情報が前記第３の所定の条件を満たし、前記提示能力が前記第４の所定の条件を満たすこと、
を備える、請求項２に記載の通信イベント通知方法。
【請求項５】
前記中央デバイスによって、少なくとも１つのブリッジデバイスの識別子を決定する前記ステップの前に、当該方法は、
前記中央デバイスによって、リクエストメッセージを前記候補ブリッジデバイスに個別に送信するステップであって、前記リクエストメッセージは、情報報告サービスを個別に提供するように前記候補ブリッジデバイスに要求するのに使用され、前記情報報告サービスは、位置情報報告サービス、伝送信号強度報告サービス、又は位置情報報告サービスと伝送信号強度報告サービスである、送信するステップをさらに含んでおり、
前記情報報告サービスが前記位置情報報告サービスであり、前記パラメータ情報が、前記候補ブリッジデバイスと前記ウェアラブルデバイスとの間の実際距離、及び前記候補ブリッジデバイスの前記位置情報と前記ウェアラブルデバイスの前記位置情報、のうちの少なくとも１つを備えるか、又は
前記情報報告サービスが前記伝送信号強度報告サービスであり、前記パラメータ情報が、前記候補ブリッジデバイスと前記ウェアラブルデバイスとの間の前記変換距離、及び前記候補ブリッジデバイスと前記ウェアラブルデバイスとの間の前記伝送信号強度のうちの少なくとも１つを備えるか、又は
前記情報報告サービスが前記位置情報報告サービス及び伝送信号強度報告サービスであり、前記パラメータ情報が、前記候補ブリッジデバイスと前記ウェアラブルデバイスとの間の前記実際距離、前記候補ブリッジデバイスの前記位置情報と前記ウェアラブルデバイスの前記位置情報、並びに前記候補ブリッジデバイスと前記ウェアラブルデバイスとの間の前記変換距離及び前記候補ブリッジデバイスと前記ウェアラブルデバイスとの間の前記伝送信号強度のうちの少なくとも１つ、を備える、請求項１から４のいずれか一項に記載の通信イベント通知方法。
【請求項６】
前記中央デバイスが、ユーザ装置、前記候補ブリッジデバイス又は前記ウェアラブルデバイスである、請求項１から５のいずれか一項に記載の通信イベント通知方法。
【請求項７】
通信イベントを察知するように構成された察知ユニットと、
候補ブリッジデバイスのパラメータ情報に従って少なくとも１つのブリッジデバイスの識別子を決定するように構成された決定ユニットであって、前記少なくとも１つのブリッジデバイスのパラメータ情報が所定の条件を満たし、前記候補ブリッジデバイスの前記パラメータ情報が提示能力を含み、前記所定の条件は、画像が提示されるか、又は画像と音声が提示されることである、決定ユニットと、
前記決定ユニットによって決定され、前記少なくとも１つのブリッジデバイスのものである前記識別子に従って、前記察知ユニットによって察知された前記通信イベントに対応する通知情報を前記少なくとも１つのブリッジデバイスに送信し、前記少なくとも１つのブリッジデバイスが前記通知情報を提示できるように構成された送信ユニットと、
を備える中央デバイス。
【請求項８】
前記パラメータ情報が前記実際距離及び前記変換距離のうちの少なくとも１つであり、前記所定の条件は第１の所定の条件であり、前記第１の所定の条件は、前記距離が最短であるか、又は前記距離が第１の所定の閾値未満であることであるか、又は
前記パラメータ情報が前記伝送信号強度であり、前記所定の条件は第２の所定の条件であり、前記第２の所定の条件は、前記信号強度が最も強いか、又は前記信号強度が第２の所定の閾値より大きいことであるか、又は
前記パラメータ情報が前記候補ブリッジデバイスの前記位置情報及び前記ウェアラブルデバイスの前記位置情報であり、前記所定の条件は第３の所定の条件を有し、前記第３の所定の条件は、所定の地理的範囲が充足されることである、請求項７に記載の中央デバイス。
【請求項９】
前記中央デバイスが取得ユニット及び計算ユニットをさらに備えており、
前記実際距離が、前記候補ブリッジデバイスによって報告された前記候補ブリッジデバイスの前記位置情報及び前記ウェアラブルデバイスの前記位置情報を前記取得ユニットが取得した後に、前記取得ユニットによって取得された前記候補ブリッジデバイスの前記位置情報及び前記ウェアラブルデバイスの前記位置情報に従って前記決定ユニットによって決定され、
前記伝送信号強度が、前記候補ブリッジデバイスによって報告され、前記取得ユニットによって取得された情報に従って前記決定ユニットによって決定され、
前記変換距離が、前記決定ユニットによって決定された前記伝送信号強度に従った計算を通じて前記計算ユニットによって取得される、請求項７又は８に記載の中央デバイス。
【請求項１０】
前記少なくとも１つのブリッジデバイスのパラメータ情報が前記所定の条件を充足することは更に、
前記決定ユニットによって決定された前記実際距離が前記第１の所定の条件を満たし、前記提示能力が前記第４の所定の条件を満たすか、又は
前記計算ユニットによって計算された前記変換距離が前記第１の所定の条件を満たし、前記提示能力が前記第４の所定の条件を満たすか、又は
前記決定ユニットによって決定された前記伝送信号強度が前記第２の所定の条件を満たし、前記提示能力が前記第４の所定の条件を満たすか、又は
前記取得ユニットによって取得された前記候補ブリッジデバイスの前記位置情報及び前記ウェアラブルデバイスの前記位置情報が前記第３の所定の条件を満たし、前記提示能力が前記第４の所定の条件を満たすか、又は
前記実際距離が前記第１の所定の条件を満たし、前記伝送信号強度が前記第２の所定の条件を満たし、前記提示能力が前記第４の所定の条件を満たすか、又は
前記変換距離が前記第１の所定の条件を満たし、前記伝送信号強度が前記第２の所定の条件を満たし、前記提示能力が前記第４の所定の条件を満たすか、又は
前記実際距離が前記第１の所定の条件を満たし、前記候補ブリッジデバイスの前記位置情報及び前記ウェアラブルデバイスの前記位置情報が前記第３の所定の条件を満たし、前記提示能力が前記第４の所定の条件を満たすか、又は
前記変換距離が前記第１の所定の条件を満たし、前記候補ブリッジデバイスの前記位置情報及び前記ウェアラブルデバイスの前記位置情報が前記第３の所定の条件を満たし、前記提示能力が前記第４の所定の条件を満たすことを含む、請求項８に記載の中央デバイス。
【請求項１１】
前記送信ユニットが、前記少なくとも１つのブリッジデバイスの前記識別子を前記決定ユニットが決定する前に、リクエストメッセージを前記候補ブリッジデバイスに個別に送信するよう構成され、前記リクエストメッセージは、情報報告サービスを個別に提供するように前記候補ブリッジデバイスに要求するために使用され、前記情報報告サービスは、位置情報報告サービス、伝送信号強度報告サービス、又は位置情報報告サービスと伝送信号強度報告サービスであり、
前記情報報告サービスが前記位置情報報告サービスであり、前記パラメータ情報が、前記候補ブリッジデバイスと前記ウェアラブルデバイスとの間の前記実際距離、及び前記候補ブリッジデバイスの前記位置情報と前記ウェアラブルデバイスの前記位置情報、のうちの少なくとも１つを備えるか、又は
前記情報報告サービスが前記伝送信号強度報告サービスであり、前記パラメータ情報が、前記候補ブリッジデバイスと前記ウェアラブルデバイスとの間の前記変換距離及び前記候補ブリッジデバイスと前記ウェアラブルデバイスとの間の前記伝送信号強度のうちの少なくとも１つを備えるか、又は
前記情報報告サービスが前記位置情報報告サービス及び前記伝送信号強度報告サービスであり、前記パラメータ情報が、前記候補ブリッジデバイスと前記ウェアラブルデバイスとの間の前記実際距離、前記候補ブリッジデバイスの前記位置情報と前記ウェアラブルデバイスの前記位置情報、並びに前記候補ブリッジデバイスと前記ウェアラブルデバイスとの間の前記変換距離及び前記候補ブリッジデバイスと前記ウェアラブルデバイスとの間の前記伝送信号強度のうちの少なくとも１つ、を備える、請求項７から１０のいずれか一項に記載の中央デバイス。
【請求項１２】
前記中央デバイスが、ユーザ装置、前記候補ブリッジデバイス又は前記ウェアラブルデバイスである、請求項７から１１のいずれか一項に記載の中央デバイス。
【請求項１３】
請求項１乃至６何れか一項記載の方法をコンピュータに実行させるプログラム。
【発明の詳細な説明】
【技術分野】
【０００１】
本発明は、通信分野に関し、特に通信イベント通知方法、装置及びシステムに関する。
【背景技術】
【０００２】
通信技術の発展は携帯電話通信を人々の日常生活に欠かせないものにし、例えば、あるユーザと別のユーザとの間のすべての情報のやり取りは携帯電話通信によって実現可能である。一般に幾つかの屋内環境では、携帯電話から離れていること又は他の同様のケースのために、ユーザは呼又はショートメッセージなどの通信イベントをしばしば逃す。こうなるとユーザは、別のユーザと情報をやり取りすることが不可能である。
【０００３】
従来技術では、ユーザの携帯電話が通信イベントを受け取ったとき、ユーザに通知する機能は一般に２つの方法を使用することによって実現することができる。一態様では、スマートテレビがユーザの携帯電話によって受信された通信イベントをユーザに通知するのに利用されうる。任意選択では、スマートテレビと携帯電話の間の接続が無線通信技術を使用することによって実現されることがある。携帯電話は、通信イベントを受信すると、その通信イベントを無線通信技術を使用することによってスマートテレビに送信してもよく、これによりスマートテレビがその通信イベントをユーザに提示しユーザの携帯電話によって受信された通信イベントをユーザに通知することを可能にする。他の態様では、ウェアラブルデバイスがユーザの携帯電話によって受信された通信イベントをユーザに通知するのに利用されうる。任意選択では、ウェアラブルデバイスと携帯電話との間の接続がＢｌｕｅｔｏｏｔｈ技術を使用することによって実現されることがある。携帯電話は、通信イベントを受信すると、その通信イベントをＢｌｕｅｔｏｏｔｈ技術を使用することによってウェアラブルデバイスに送信してもよく、これによりウェアラブルデバイスがその通信イベントをユーザに提示しユーザの携帯電話によって受信された通信イベントをユーザに通知することを可能にする。
【０００４】
しかし、一態様において、ユーザの携帯電話によって受信された通信イベントをユーザに通知するためにスマートテレビが使用される場合、スマートテレビが置かれる位置の制限のために、ユーザがスマートテレビの近くにいないときにはユーザは通信イベントの通知を確認することが不可能であり、このためスマートテレビによってユーザに通知する機能は地理的制約を受けることになる。他の態様においてユーザの携帯電話によって受信された通信イベントをユーザに通知するためにウェアラブルデバイスが使用される場合、使用されるＢｌｕｅｔｏｏｔｈ技術の有効距離が限られているため、ユーザと携帯電話の間の距離がＢｌｕｅｔｏｏｔｈ送信の有効距離より大きいときにユーザは通信イベントの通知を受け取ることが不可能であり、このためウェアラブルデバイスによってユーザに通知する機能は距離の制約を受けることになる。
【発明の概要】
【０００５】
本発明の実施形態は、所定の条件に従って通知情報を柔軟に提示することが可能な通信イベント通知方法、装置及びシステムを提供する。
【０００６】
上述の課題を達成するために、本発明の実施形態では下記の技術的解決策が使用される。
【０００７】
第１の態様によれば、本発明の一実施形態は、
中央デバイスによって、通信イベントを察知するステップと、
中央デバイスによって、候補ブリッジデバイスのパラメータ情報に従って少なくとも１つのブリッジデバイスの識別子を決定するステップであって、少なくとも１つのブリッジデバイスのパラメータ情報は所定の条件を満たすと共に、候補ブリッジデバイスのパラメータ情報は、
候補ブリッジデバイスとウェアラブルデバイスとの間の実際距離と、
候補ブリッジデバイスとウェアラブルデバイスとの間の変換距離と、
候補ブリッジデバイスとウェアラブルデバイスとの間の伝送信号強度、及び候補ブリッジデバイスの位置情報とウェアラブルデバイスの位置情報と、
のうちの少なくとも１つを含む、決定するステップと、
中央デバイスによって、少なくとも１つのブリッジデバイスの識別子に従って通信イベントに対応する通知情報を少なくとも１つのブリッジデバイスに送信し、少なくとも１つのブリッジデバイスが通知情報を提示できるようにするステップと、
を含む通信イベント通知方法を提供する。
【０００８】
第１の態様の第１の可能な実装方式では、
パラメータ情報が実際距離及び変換距離のうちの少なくとも１つであり、所定の条件は第１の所定の条件を有し、第１の所定の条件は、当該距離が最短であるか、又は当該距離が第１の所定の閾値未満であるということであるか、又は
パラメータ情報が伝送信号強度であり、所定の条件は第２の所定の条件を有し、第２の所定の条件は、当該信号強度が最も強いか、又は当該信号強度が第２の所定の閾値より大きいことであるか、又は
パラメータ情報が候補ブリッジデバイスの位置情報及びウェアラブルデバイスの位置情報であり、所定の条件は第３の所定の条件を有し、第３の所定の条件は、所定の地理的範囲が充足されるということである。
【０００９】
第１の態様又は第１の態様の第１の可能な実装方式を参照して、第２の可能な実装方式では、
実際距離は、候補ブリッジデバイスによって報告された候補ブリッジデバイスの位置情報及びウェアラブルデバイスの位置情報の取得後に、当該候補ブリッジデバイスの位置情報及びウェアラブルデバイスの位置情報に従って中央デバイスによって決定され、
伝送信号強度は、候補ブリッジデバイスによって報告された情報の取得後に、中央デバイスによって決定され、
変換距離は、伝送信号強度に従った計算を通じて中央デバイスによって取得されている。
【００１０】
第１の態様の第１の可能な実装方式を参照して、第３の可能な実装方式では、パラメータ情報が提示能力をさらに備え、所定の条件は更に第４の所定の条件を有し、第４の所定の条件は、画像が提示されるか、又は画像と音声が提示されることであり、
少なくとも１つのブリッジデバイスのパラメータ情報が所定の条件を充足することは、
実際距離が第１の所定の条件を満たし、提示能力が第４の所定の条件を満たすか、又は
変換距離が第１の所定の条件を満たし、提示能力が第４の所定の条件を満たすか、又は
伝送信号強度が第２の所定の条件を満たし、提示能力が第４の所定の条件を満たすか、又は
候補ブリッジデバイスの位置情報及びウェアラブルデバイスの位置情報が第３の所定の条件を満たし、提示能力が第４の所定の条件を満たすか、又は
実際距離が第１の所定の条件を満たし、伝送信号強度が第２の所定の条件を満たし、提示能力が第４の所定の条件を満たすか、又は
変換距離が第１の所定の条件を満たし、伝送信号強度が第２の所定の条件を満たし、提示能力が第４の所定の条件を満たすか、又は
実際距離が第１の所定の条件を満たし、候補ブリッジデバイスの位置情報及びウェアラブルデバイスの位置情報が第３の所定の条件を満たし、提示能力が第４の所定の条件を満たすか、又は
変換距離が第１の所定の条件を満たし、候補ブリッジデバイスの位置情報及びウェアラブルデバイスの位置情報が第３の所定の条件を満たし、提示能力が第４の所定の条件を満たすこと、
を含む。
【００１１】
第１の態様又は第１の態様の第１の可能な実装方式から第３の可能な実装方式のいずれかの可能な実装方式を参照して、第４の可能な実装方式では、中央デバイスによって、少なくとも１つのブリッジデバイスの識別子を決定するステップの前に、本方法は、
中央デバイスによって、リクエストメッセージを候補ブリッジデバイスに個別に送信するステップであって、リクエストメッセージは、情報報告サービスを個別に提供するように候補ブリッジデバイスに要求するために使用され、当該情報報告サービスは、位置情報報告サービス、伝送信号強度報告サービス、又は位置情報報告サービスと伝送信号強度報告サービスである、送信するステップをさらに含んでおり、
情報報告サービスが位置情報報告サービスであり、パラメータ情報は、候補ブリッジデバイスとウェアラブルデバイスとの間の実際距離、及び候補ブリッジデバイスの位置情報とウェアラブルデバイスの位置情報、のうちの少なくとも１つを含むか、又は
情報報告サービスが伝送信号強度報告サービスであり、パラメータ情報は、候補ブリッジデバイスとウェアラブルデバイスとの間の変換距離及び候補ブリッジデバイスとウェアラブルデバイスとの間の伝送信号強度のうちの少なくとも１つを含むか、又は
情報報告サービスが位置情報報告サービス及び伝送信号強度報告サービスであり、パラメータ情報は、候補ブリッジデバイスとウェアラブルデバイスとの間の実際距離、候補ブリッジデバイスの位置情報及びウェアラブルデバイスの位置情報、並びに候補ブリッジデバイスとウェアラブルデバイスとの間の変換距離及び候補ブリッジデバイスとウェアラブルデバイスとの間の伝送信号強度のうちの少なくとも１つ、を含む。
【００１２】
第１の態様又は第１の態様の第１の可能な実装方式から第４の可能な実装方式のいずれかの可能な実装方式を参照して、第５の可能な実装方式では、
中央デバイスは、ユーザ装置、候補ブリッジデバイス又はウェアラブルデバイスである。
【００１３】
第２の態様によれば、本発明の一実施形態は、
ブリッジデバイスによって、ウェアラブルデバイスによって送信された伝送信号を受信するステップと、
ブリッジデバイスによって、伝送信号に従ってブリッジデバイスのリファレンス情報を決定するステップであって、当該ブリッジデバイスのリファレンス情報は、
ブリッジデバイスの位置情報及びウェアラブルデバイスの位置情報を含むか、又は
伝送信号の伝送信号強度を含むか、又は
ブリッジデバイスの位置情報、ウェアラブルデバイスの位置情報及び伝送信号強度を含む、
決定するステップと、
ブリッジデバイスによって、リファレンス情報を中央デバイスに報告するステップであって、中央デバイスが、すべての候補ブリッジデバイスによって報告されたリファレンス情報に従って対応するパラメータ情報を決定し、パラメータ情報に従って少なくとも１つのブリッジデバイスの識別子を決定し、少なくとも１つのブリッジデバイスの識別子に従って、通信イベントに対応する通知情報を少なくとも１つのブリッジデバイスに送信し、少なくとも１つのブリッジデバイスのパラメータ情報は所定の条件を満たす、報告するステップと、
を含む通信イベント通知方法を提供する。
【００１４】
第２の態様の第１の可能な実装方式では、ブリッジデバイスによってリファレンス情報をウェアラブルデバイスに対応する中央デバイスに報告するステップの後で、本方法は、
ブリッジデバイスによって、中央デバイスによって送信された通知情報を受信するステップと、
ブリッジデバイスによって、ブリッジデバイスの提示能力に従って通知情報を提示するステップと、
をさらに含む。
【００１５】
第２の態様又は第２の態様の第１の可能な実装方式を参照して、第２の可能な実装方式では、ブリッジデバイスのリファレンス情報は、
ブリッジデバイスの位置情報、ウェアラブルデバイスの位置情報及びブリッジデバイスの提示能力を含むか、又は
伝送信号の伝送信号強度及びブリッジデバイスの提示能力を含むか、又は
ブリッジデバイスの位置情報、ウェアラブルデバイスの位置情報、伝送信号強度及びブリッジデバイスの提示能力を含む。
【００１６】
第２の態様又は第２の態様の第１の可能な実装方式から第２の可能な実装方式のいずれかの可能な実装方式を参照して、第３の可能な実装方式では、ブリッジデバイスによって、ウェアラブルデバイスによって送信された伝送信号を受信するステップの前に、本方法は、
ブリッジデバイスによって、中央デバイスによって送信されたリクエストメッセージを受信するステップであって、リクエストメッセージは、情報報告サービスを提供するようにブリッジデバイスに要求するために使用され、当該情報報告サービスは、位置情報報告サービス、伝送信号強度報告サービス、又は位置情報報告サービスと伝送信号強度報告サービスである、受信するステップをさらに含んでおり、
情報報告サービスが位置情報報告サービスであり、パラメータ情報は、候補ブリッジデバイスとウェアラブルデバイスとの間の実際距離、及び候補ブリッジデバイスの位置情報とウェアラブルデバイスの位置情報、のうちの少なくとも１つを含むか、又は
情報報告サービスが伝送信号強度報告サービスであり、パラメータ情報は、候補ブリッジデバイスとウェアラブルデバイスとの間の変換距離、及び候補ブリッジデバイスとウェアラブルデバイスとの間の伝送信号強度のうちの少なくとも１つを含むか、又は
情報報告サービスが位置情報報告サービス及び伝送信号強度報告サービスであり、パラメータ情報は、候補ブリッジデバイスとウェアラブルデバイスとの間の実際距離、候補ブリッジデバイスの位置情報とウェアラブルデバイスの位置情報、並びに候補ブリッジデバイスとウェアラブルデバイスとの間の変換距離及び候補ブリッジデバイスとウェアラブルデバイスとの間の伝送信号強度のうちの少なくとも１つ、を含む。
【００１７】
第３の態様によれば、本発明の一実施形態は、
通信イベントを察知するように構成された察知ユニットと、
候補ブリッジデバイスのパラメータ情報に従って少なくとも１つのブリッジデバイスの識別子を決定するように構成された決定ユニットであって、少なくとも１つのブリッジデバイスのパラメータ情報は所定の条件を満たし、候補ブリッジデバイスのパラメータ情報は、
候補ブリッジデバイスとウェアラブルデバイスとの間の実際距離と、
候補ブリッジデバイスとウェアラブルデバイスとの間の変換距離と、
候補ブリッジデバイスとウェアラブルデバイスとの間の伝送信号強度、及び候補ブリッジデバイスの位置情報とウェアラブルデバイスの位置情報と、
のうちの少なくとも１つを含む、決定ユニットと、
少なくとも１つのブリッジデバイスの識別子に従って、察知ユニットによって察知された通信イベントに対応する通知情報を少なくとも１つのブリッジデバイスに送信し、少なくとも１つのブリッジデバイスが通知情報を提示できるように構成された送信ユニットと、
を含む中央デバイスを提供する。
【００１８】
第３の態様の第１の可能な実装方式では、
パラメータ情報が実際距離及び変換距離のうちの少なくとも１つであり、所定の条件は第１の所定の条件であり、第１の所定の条件は、当該距離が最短であるか、又は当該距離が第１の所定の閾値未満であることであるか、又は
パラメータ情報が伝送信号強度であり、所定の条件は第２の所定の条件であり、第２の所定の条件は、当該信号強度が最も強いか、又は当該信号強度が第２の所定の閾値より大きいことであるか、又は
パラメータ情報が候補ブリッジデバイスの位置情報及びウェアラブルデバイスの位置情報であり、所定の条件は第３の所定の条件を有し、第３の所定の条件は、所定の地理的範囲が充足されることである。
【００１９】
第３の態様又は第３の態様の第１の可能な実装方式を参照して、第２の可能な実装方式では、中央デバイスが取得ユニット及び計算ユニットをさらに含んでおり、
実際距離は、取得ユニットが候補ブリッジデバイスによって報告された候補ブリッジデバイスの位置情報及びウェアラブルデバイスの位置情報を取得した後に、取得ユニットによって取得された候補ブリッジデバイスの位置情報及びウェアラブルデバイスの位置情報に従って決定ユニットによって決定され、
伝送信号強度は、候補ブリッジデバイスによって報告され、取得ユニットによって取得された情報に従って決定ユニットによって決定され、
変換距離は、決定ユニットによって決定された伝送信号強度に従った計算を通じて計算ユニットによって取得される。
【００２０】
第３の態様の第１の可能な実装方式を参照して、第３の可能な実装方式では、パラメータ情報が提示能力をさらに含み、所定の条件は更に第４の所定の条件を有し、第４の所定の条件は、画像が提示されるか、又は画像と音声が提示されるということであり、
決定ユニットによって決定された実際距離が第１の所定の条件を満たし、提示能力が第４の所定の条件を満たすか、又は
計算ユニットによって計算された変換距離が第１の所定の条件を満たし、提示能力が第４の所定の条件を満たすか、又は
決定ユニットによって決定された伝送信号強度が第２の所定の条件を満たし、提示能力が第４の所定の条件を満たすか、又は
取得ユニットによって取得された候補ブリッジデバイスの位置情報及びウェアラブルデバイスの位置情報が第３の所定の条件を満たし、提示能力が第４の所定の条件を満たすか、又は
実際距離が第１の所定の条件を満たし、伝送信号強度が第２の所定の条件を満たし、提示能力が第４の所定の条件を満たすか、又は
変換距離が第１の所定の条件を満たし、伝送信号強度が第２の所定の条件を満たし、提示能力が第４の所定の条件を満たすか、又は
実際距離が第１の所定の条件を満たし、候補ブリッジデバイスの位置情報及びウェアラブルデバイスの位置情報が第３の所定の条件を満たし、提示能力が第４の所定の条件を満たすか、又は
変換距離が第１の所定の条件を満たし、候補ブリッジデバイスの位置情報及びウェアラブルデバイスの位置情報が第３の所定の条件を満たし、提示能力が第４の所定の条件を満たす。
【００２１】
第３の態様又は第３の態様の第１の可能な実装方式から第３の可能な実装方式のいずれかの可能な実装方式を参照して、第４の可能な実装方式では、
送信ユニットは、決定ユニットが少なくとも１つのブリッジデバイスの識別子を決定する前に、リクエストメッセージを候補ブリッジデバイスに個別に送信するよう構成され、リクエストメッセージは、情報報告サービスを個別に提供するように候補ブリッジデバイスに要求するために使用され、当該情報報告サービスは、位置情報報告サービス、伝送信号強度報告サービス、又は位置情報報告サービスと伝送信号強度報告サービスであり、
情報報告サービスが位置情報報告サービスであり、パラメータ情報は、候補ブリッジデバイスとウェアラブルデバイスとの間の実際距離、及び候補ブリッジデバイスの位置情報とウェアラブルデバイスの位置情報、のうちの少なくとも１つを含むか、又は
情報報告サービスが伝送信号強度報告サービスであり、パラメータ情報は、候補ブリッジデバイスとウェアラブルデバイスとの間の変換距離及び候補ブリッジデバイスとウェアラブルデバイスとの間の伝送信号強度のうちの少なくとも１つを含むか、又は
情報報告サービスが位置情報報告サービス及び伝送信号強度報告サービスであり、パラメータ情報は、候補ブリッジデバイスとウェアラブルデバイスとの間の実際距離、候補ブリッジデバイスの位置情報とウェアラブルデバイスの位置情報、並びに候補ブリッジデバイスとウェアラブルデバイスとの間の変換距離及び候補ブリッジデバイスとウェアラブルデバイスとの間の伝送信号強度のうちの少なくとも１つ、を含む。
【００２２】
第３の態様又は第３の態様の第１の可能な実装方式から第４の可能な実装方式のいずれかの可能な実装方式を参照して、第５の可能な実装方式では、
中央デバイスは、ユーザ装置、候補ブリッジデバイス又はウェアラブルデバイスである。
【００２３】
第４の態様によれば、本発明の一実施形態は、
ウェアラブルデバイスによって送信された伝送信号を受信するように構成された受信ユニットと、
受信ユニットによって受信された伝送信号に従ってブリッジデバイスのリファレンス情報を決定するように構成された決定ユニットであって、ブリッジデバイスのリファレンス情報は、
ブリッジデバイスの位置情報及びウェアラブルデバイスの位置情報を含むか、又は
伝送信号の伝送信号強度を含むか、又は
ブリッジデバイスの位置情報、ウェアラブルデバイスの位置情報及び伝送信号強度を含む、
決定ユニットと、
決定ユニットによって決定されたリファレンス情報を中央デバイスに報告するよう構成された送信ユニットであって、中央デバイスが、すべての候補ブリッジデバイスによって報告されたリファレンス情報に従って対応するパラメータ情報を決定し、パラメータ情報に従って少なくとも１つのブリッジデバイスの識別子を決定し、少なくとも１つのブリッジデバイスの識別子に従って、通信イベントに対応する通知情報を少なくとも１つのブリッジデバイスに送信し、少なくとも１つのブリッジデバイスのパラメータ情報は所定の条件を満たしている、送信ユニットと、
を含むブリッジデバイスを提供する。
【００２４】
第４の態様の第１の可能な実装方式では、ブリッジデバイスは提示ユニットをさらに含んでおり、
受信ユニットは、送信ユニットがリファレンス情報をウェアラブルデバイスに対応する中央デバイスに報告した後に、中央デバイスによって送信された通知情報を受信するようにさらに構成され、
提示ユニットは、ブリッジデバイスの提示能力に従って、受信ユニットによって受信された通知情報を提示するように構成されている。
【００２５】
第４の態様又は第４の態様の第１の可能な実装方式を参照して、第２の可能な実装方式では、ブリッジデバイスのリファレンス情報は、
ブリッジデバイスの位置情報、ウェアラブルデバイスの位置情報及びブリッジデバイスの提示能力を含むか、又は
伝送信号の伝送信号強度及びブリッジデバイスの提示能力を含むか、又は
ブリッジデバイスの位置情報、ウェアラブルデバイスの位置情報、伝送信号強度及びブリッジデバイスの提示能力を含む。
【００２６】
第４の態様又は第４の態様の第１の可能な実装方式から第２の可能な実装方式のいずれかの可能な実装方式を参照して、第３の可能な実装方式では、
受信ユニットは、ウェアラブルデバイスによって送信された伝送信号を受信する前に、中央デバイスによって送信されたリクエストメッセージを受信するよう構成され、リクエストメッセージは、情報報告サービスを提供するようにブリッジデバイスに要求するために使用され、当該情報報告サービスは、位置情報報告サービス、伝送信号強度報告サービス、又は位置情報報告サービスと伝送信号強度報告サービスであり、
情報報告サービスが位置情報報告サービスであり、パラメータ情報は、候補ブリッジデバイスとウェアラブルデバイスとの間の実際距離、及び候補ブリッジデバイスの位置情報とウェアラブルデバイスの位置情報、のうちの少なくとも１つを含むか、又は
情報報告サービスが伝送信号強度報告サービスであり、パラメータ情報は、候補ブリッジデバイスとウェアラブルデバイスとの間の変換距離及び候補ブリッジデバイスとウェアラブルデバイスとの間の伝送信号強度のうちの少なくとも１つを含むか、又は
情報報告サービスが位置情報報告サービス及び伝送信号強度報告サービスであり、パラメータ情報は、候補ブリッジデバイスとウェアラブルデバイスとの間の実際距離、候補ブリッジデバイスの位置情報とウェアラブルデバイスの位置情報、並びに候補ブリッジデバイスとウェアラブルデバイスとの間の変換距離及び候補ブリッジデバイスとウェアラブルデバイスとの間の伝送信号強度のうちの少なくとも１つ、を含む。
【００２７】
第５の態様によれば、本発明の一実施形態は、
通信イベントを察知し、候補ブリッジデバイスのパラメータ情報に従って少なくとも１つのブリッジデバイスの識別子を決定するように構成されたプロセッサであって、少なくとも１つのブリッジデバイスのパラメータ情報は所定の条件を満たし、候補ブリッジデバイスのパラメータ情報は、
候補ブリッジデバイスとウェアラブルデバイスとの間の実際距離と、
候補ブリッジデバイスとウェアラブルデバイスとの間の変換距離と、
候補ブリッジデバイスとウェアラブルデバイスとの間の伝送信号強度及び候補ブリッジデバイスの位置情報とウェアラブルデバイスの位置情報と、
のうちの少なくとも１つを含むプロセッサと、
少なくとも１つのブリッジデバイスの識別子に従って、プロセッサによって察知された通信イベントに対応する通知情報を少なくとも１つのブリッジデバイスに送信し、少なくとも１つのブリッジデバイスが通知情報を提示できるように構成された送信機と、
を含む中央デバイスを提供する。
【００２８】
第５の態様の第１の可能な実装方式では、
パラメータ情報が実際距離及び変換距離のうちの少なくとも１つであり、所定の条件は第１の所定の条件を有し、第１の所定の条件は、当該距離が最短であるか、又は当該距離が第１の所定の閾値未満であることであるか、又は
パラメータ情報が伝送信号強度であり、所定の条件は第２の所定の条件を有し、第２の所定の条件は、当該信号強度が最も強いか、又は当該信号強度が第２の所定の閾値より大きいことであるか、又は
パラメータ情報が候補ブリッジデバイスの位置情報及びウェアラブルデバイスの位置情報であり、所定の条件は第３の所定の条件を有し、第３の所定の条件は、所定の地理的範囲が充足されることである。
【００２９】
第５の態様又は第５の態様の第１の可能な実装方式を参照して、第２の可能な実装方式では、中央デバイスは受信機をさらに含んでおり、
実際距離は、受信機が候補ブリッジデバイスによって報告された候補ブリッジデバイスの位置情報及びウェアラブルデバイスの位置情報を取得した後に、受信機によって取得された候補ブリッジデバイスの位置情報及びウェアラブルデバイスの位置情報に従ってプロセッサによって決定され、
伝送信号強度は、候補ブリッジデバイスによって報告され、受信機によって取得された情報に従ってプロセッサによって決定され、
変換距離は、伝送信号強度に従った計算を通じてプロセッサによって取得されている。
【００３０】
第５の態様の第１の可能な実装方式を参照して、第３の可能な実装方式では、パラメータ情報が提示能力をさらに含み、所定の条件は更に第４の所定の条件を有し、第４の所定の条件は、画像が提示されるか、又は画像と音声が提示されることであり、
プロセッサによって決定された実際距離が第１の所定の条件を満たし、提示能力が第４の所定の条件を満たすか、又は
プロセッサによって計算された変換距離が第１の所定の条件を満たし、提示能力が第４の所定の条件を満たすか、又は
プロセッサによって決定された伝送信号強度が第２の所定の条件を満たし、提示能力が第４の所定の条件を満たすか、又は
プロセッサによって取得された候補ブリッジデバイスの位置情報及びウェアラブルデバイスの位置情報が第３の所定の条件を満たし、提示能力が第４の所定の条件を満たすか、又は
実際距離が第１の所定の条件を満たし、伝送信号強度が第２の所定の条件を満たし、提示能力が第４の所定の条件を満たすか、又は
変換距離が第１の所定の条件を満たし、伝送信号強度が第２の所定の条件を満たし、提示能力が第４の所定の条件を満たすか、又は
実際距離が第１の所定の条件を満たし、候補ブリッジデバイスの位置情報及びウェアラブルデバイスの位置情報が第３の所定の条件を満たし、提示能力が第４の所定の条件を満たすか、又は
変換距離が第１の所定の条件を満たし、候補ブリッジデバイスの位置情報及びウェアラブルデバイスの位置情報が第３の所定の条件を満たし、提示能力が第４の所定の条件を満たす。
【００３１】
第５の態様又は第５の態様の第１の可能な実装方式から第３の可能な実装方式のいずれかの可能な実装方式を参照して、第４の可能な実装方式では、
送信機は、プロセッサが少なくとも１つのブリッジデバイスの識別子を決定する前に、リクエストメッセージを候補ブリッジデバイスに個別に送信するよう構成され、リクエストメッセージは、情報報告サービスを個別に提供するように候補ブリッジデバイスに要求するために使用され、当該情報報告サービスは、位置情報報告サービス、伝送信号強度報告サービス、又は位置情報報告サービスと伝送信号強度報告サービスであり、
情報報告サービスが位置情報報告サービスであり、パラメータ情報は、候補ブリッジデバイスとウェアラブルデバイスとの間の実際距離、及び候補ブリッジデバイスの位置情報とウェアラブルデバイスの位置情報、のうちの少なくとも１つを含むか、又は
情報報告サービスが伝送信号強度報告サービスであり、パラメータ情報は、候補ブリッジデバイスとウェアラブルデバイスとの間の変換距離及び候補ブリッジデバイスとウェアラブルデバイスとの間の伝送信号強度のうちの少なくとも１つを含むか、又は
情報報告サービスが位置情報報告サービス及び伝送信号強度報告サービスであり、パラメータ情報は、候補ブリッジデバイスとウェアラブルデバイスとの間の実際距離、候補ブリッジデバイスの位置情報とウェアラブルデバイスの位置情報、並びに候補ブリッジデバイスとウェアラブルデバイスとの間の変換距離及び候補ブリッジデバイスとウェアラブルデバイスとの間の伝送信号強度のうちの少なくとも１つ、を含む。
【００３２】
第５の態様又は第５の態様の第１の可能な実装方式から第４の可能な実装方式のいずれかの可能な実装方式を参照して、第５の可能な実装方式では、
中央デバイスは、ユーザ装置、候補ブリッジデバイス又はウェアラブルデバイスである。
【００３３】
第６の態様によれば、本発明の一実施形態は、
ウェアラブルデバイスによって送信された伝送信号を受信するように構成された受信機と、
受信機によって受信された伝送信号に従ってブリッジデバイスのリファレンス情報を決定するように構成されたプロセッサであって、ブリッジデバイスのリファレンス情報は、
ブリッジデバイスの位置情報及びウェアラブルデバイスの位置情報を含むか、又は
伝送信号の伝送信号強度を含むか、又は
ブリッジデバイスの位置情報、ウェアラブルデバイスの位置情報及び伝送信号強度を含む、
プロセッサと、
プロセッサによって決定されたリファレンス情報を中央デバイスに報告するよう構成される送信機であって、中央デバイスが、すべての候補ブリッジデバイスによって報告されたリファレンス情報に従って対応するパラメータ情報を決定し、パラメータ情報に従って少なくとも１つのブリッジデバイスの識別子を決定し、少なくとも１つのブリッジデバイスの識別子に従って、通信イベントに対応する通知情報を少なくとも１つのブリッジデバイスに送信し、少なくとも１つのブリッジデバイスのパラメータ情報は所定の条件を満たしている、送信機と、
を含むブリッジデバイスを提供する。
【００３４】
第６の態様の第１の可能な実装方式では、ブリッジデバイスがディスプレイをさらに含んでおり、
受信機は、送信機がウェアラブルデバイスに対応する中央デバイスにリファレンス情報を報告した後に、中央デバイスによって送信された通知情報を受信するようにさらに構成され、
ディスプレイは、ブリッジデバイスの提示能力に従って、受信機によって受信された通知情報を提示するように構成されている。
【００３５】
第６の態様又は第６の態様の第１の可能な実装方式を参照して、第２の可能な実装方式では、ブリッジデバイスのリファレンス情報は、
ブリッジデバイスの位置情報、ウェアラブルデバイスの位置情報及びブリッジデバイスの提示能力を含むか、又は
伝送信号の伝送信号強度及びブリッジデバイスの提示能力を含むか、又は
ブリッジデバイスの位置情報、ウェアラブルデバイスの位置情報、伝送信号強度及びブリッジデバイスの提示能力を含む。
【００３６】
第６の態様又は第６の態様の第１の可能な実装方式から第２の可能な実装方式のいずれかの可能な実装方式を参照して、第３の可能な実装方式では、
受信機は、ウェアラブルデバイスによって送信された伝送信号を受信する前に、中央デバイスによって送信されたリクエストメッセージを受信するようにさらに構成され、リクエストメッセージは、情報報告サービスを提供するようにブリッジデバイスに要求するために使用され、当該情報報告サービスは、位置情報報告サービス、伝送信号強度報告サービス、又は位置情報報告サービスと伝送信号強度報告サービスであり、
情報報告サービスが位置情報報告サービスであり、パラメータ情報は、候補ブリッジデバイスとウェアラブルデバイスとの間の実際距離及び候補ブリッジデバイスの位置情報とウェアラブルデバイスの位置情報、のうちの少なくとも１つを含むか、又は
情報報告サービスが伝送信号強度報告サービスであり、パラメータ情報は、候補ブリッジデバイスとウェアラブルデバイスとの間の変換距離、及び候補ブリッジデバイスとウェアラブルデバイスとの間の伝送信号強度のうちの少なくとも１つを含むか、又は
情報報告サービスが位置情報報告サービス及び伝送信号強度報告サービスであり、パラメータ情報は、候補ブリッジデバイスとウェアラブルデバイスとの間の実際距離、候補ブリッジデバイスの位置情報とウェアラブルデバイスの位置情報、並びに候補ブリッジデバイスとウェアラブルデバイスとの間の変換距離及び候補ブリッジデバイスとウェアラブルデバイスとの間の伝送信号強度のうちの少なくとも１つ、を含む。
【００３７】
本発明の実施形態において提供される通信イベント通知方法、装置及びシステムによれば、中央デバイスは通信イベントを察知し、中央デバイスは候補ブリッジデバイスのパラメータ情報に従って少なくとも１つのブリッジデバイスの識別子を決定し、ここで、少なくとも１つのブリッジデバイスのパラメータ情報は所定の条件を満たし、候補ブリッジデバイスのパラメータ情報は、候補ブリッジデバイスとウェアラブルデバイスとの間の実際距離、候補ブリッジデバイスとウェアラブルデバイスとの間の変換距離、候補ブリッジデバイスとウェアラブルデバイスとの間の伝送信号強度、及び候補ブリッジデバイスの位置情報とウェアラブルデバイスの位置情報、のうちの少なくとも１つを含み、最終的に中央デバイスは、少なくとも１つのブリッジデバイスの識別子に従って、通信イベントに対応する通知情報を少なくとも１つのブリッジデバイスに送信し、少なくとも１つのブリッジデバイスが通知情報を提示できるようにしている。この解決策において、中央デバイスは、少なくとも１つのブリッジデバイスを使用することによって、通信イベントに対応する通知情報を提示することが可能であり、少なくとも１つのブリッジデバイスは、そのパラメータ情報が所定の条件を満たすようなブリッジデバイスであり、すなわち、中央デバイスは、ウェアラブルデバイスからの距離又は報告された伝送信号強度が具体的な条件を満たす少なくとも１つのブリッジデバイスを選択し、通知情報の提示を保証することが可能であり、したがって、通知情報が所定の条件に従って柔軟に提示可能である。
【図面の簡単な説明】
【００３８】
本発明の実施形態又は従来技術における技術的解決策をさらに明瞭に示すために、これら実施形態や従来技術を示すために必要となる添付の図面が以下で簡単に導入される。以下の説明において添付の図面は単に本発明の幾つかの実施形態を示したものであること、また当業者が依然としてこれらの添付の図面から創造的努力を伴わずに他の図面を導出し得ることは明らかであろう。
【００３９】
【図１】本発明の実施形態による通信イベント通知方法のフローチャート１である。
【図２】本発明の実施形態による通信イベント通知方法のフローチャート２である。
【図３】本発明の実施形態による通信イベント通知方法のフローチャート３である。
【図４Ａ】本発明の実施形態による通信イベント通知方法の相互作用図１である。
【図４Ｂ】本発明の実施形態による通信イベント通知方法の相互作用図１である。
【図５Ａ】本発明の実施形態による通信イベント通知方法の相互作用図２である
【図５Ｂ】本発明の実施形態による通信イベント通知方法の相互作用図２である。
【図６】本発明の実施形態による中央デバイスの概要構成図１である。
【図７】本発明の実施形態による中央デバイスの概要構成図２である。
【図８】本発明の実施形態によるブリッジデバイスの概要構成図１である。
【図９】本発明の実施形態によるブリッジデバイスの概要構成図２である。
【図１０】本発明の実施形態によるウェアラブルデバイスの概要構成図１である。
【図１１】本発明の実施形態によるウェアラブルデバイスの概要構成図２である。
【図１２】本発明の実施形態による中央デバイスの概要構成図３である。
【図１３】本発明の実施形態によるブリッジデバイスの概要構成図３である。
【図１４】本発明の実施形態によるブリッジデバイスの概要構成図４である。
【図１５】本発明の実施形態によるウェアラブルデバイスの概要構成図３である。
【図１６】本発明の実施形態による通信イベント通知システムのブロック図である。
【発明を実施するための形態】
【００４０】
以下は、本発明の実施形態における添付の図面を参照しながら本発明の実施形態における技術的解決策を明瞭且つ完全に説明する。記載した実施形態が本発明の実施形態の一部のみであり全部でないことは明らかであろう。本発明の実施形態に基づいて当業者により創造的作業なく取得される他のすべての実施形態は本発明の保護範囲内に属する。
実施形態１
【００４１】
本発明のこの実施形態は通信イベント通知方法を提供する。図１に示したように、本方法は中央デバイス側における通信イベント通知方法であり、また本方法は、以下のステップを含むものであってもよい。
【００４２】
Ｓ１０１．中央デバイスが通信イベントを察知する。
【００４３】
本発明のこの実施形態において提供される通信イベント通知方法はスマートホームシステムに適用し得ることに留意すべきである。スマートホームシステムでは、有線又は無線技術を使用することによって、すべてのスマートホームが相互接続及び相互動作可能である。通常の無線技術は、ＷｉＦｉ（ＷＩｒｅｌｅｓｓ−Ｆｉｄｅｌｉｔｙ、ワイヤレスブロードバンド）、Ｂｌｕｅｔｏｏｔｈ（ブルートゥース）、Ｚｉｇｂｅｅ（ジグビー）、Ｚ−ｗａｖｅ（Ｚ−ｗａｖｅ  Ａｌｌｉａｎｃｅ）等を含むことがある。
【００４４】
任意選択では、中央デバイスは、ユーザ装置、ブリッジデバイス、又はウェアラブルデバイスであってもよい。
【００４５】
本発明のこの実施形態では、中央デバイスが通信イベントを察知し、中央デバイスがユーザ装置であるとき、ユーザ装置は別のユーザ装置によって送信された通信イベントを受信してもよく、ここで、通信イベントは、呼、ショートメッセージ又は音声チャット情報、インスタントメッセージ、情報プッシングなどであってもよく、中央デバイスがブリッジデバイス又はウェアラブルデバイスであるとき、ブリッジデバイス又はウェアラブルデバイスは通信イベントを受信するか、或いはブリッジデバイス又はウェアラブルデバイスは通信イベントを直接受信せず、通信イベントがユーザ装置によって受信されたことを察知可能である。
【００４６】
任意選択では、ユーザ装置は、スマートフォン、コンピュータ又はタブレットコンピュータなどの電子デバイスであってもよく、また中央デバイスは、通信イベントを察知可能なデバイスであってもよく、本発明では限定されない。
【００４７】
ウェアラブルデバイスは、メガネ、手袋、時計、宝飾品、衣服、又は靴などのスマートウェアラブルデバイスであることに留意すべきである。任意選択では、現在のウェアラブルデバイスには、スマートウォッチ、スマートバンド、頭部装着ディスプレイ、スマートシューズ、電子ドラムマシン、Ｔシャツ、等を含む。本発明のこの実施形態におけるウェアラブルデバイスは、ユーザにより持ち運び可能であって、伝送信号を送信可能なスマートデバイスであってもよい。ブリッジデバイスは、例えば、携帯電話、モバイル電源、タブレットコンピュータ、携帯情報端末、コンピュータ、メディアプレーヤ、スマートテレビ、サウンドボックス、スマート冷蔵庫、エアコン、湯沸器、電子レンジ及びトレッドミルなど、スマート家電及び電子デバイスを含むものであってもよい。本発明のこの実施形態におけるブリッジデバイスは、伝送信号の送信及び／又は受信が可能なスマートデバイスであってもよい。
【００４８】
Ｓ１０２．中央デバイスが、候補ブリッジデバイスのパラメータ情報に従って少なくとも１つのブリッジデバイスの識別子を決定し、ここで、少なくとも１つのブリッジデバイスのパラメータ情報は所定の条件を満たし、候補ブリッジデバイスのパラメータ情報は、候補ブリッジデバイスとウェアラブルデバイスとの間の実際距離、候補ブリッジデバイスとウェアラブルデバイスとの間の変換距離、候補ブリッジデバイスとウェアラブルデバイスとの間の伝送信号強度、及び候補ブリッジデバイスの位置情報とウェアラブルデバイスの位置情報、のうちの少なくとも１つを含む。
【００４９】
本発明のこの実施形態では、中央デバイスが通信イベントを察知した後に、中央デバイスは、候補ブリッジデバイスのパラメータ情報に従って少なくとも１つのブリッジデバイスの識別子を決定してもよくここで、少なくとも１つのブリッジデバイスのパラメータ情報は所定の条件を満たし、候補ブリッジデバイスのパラメータ情報は、候補ブリッジデバイスとウェアラブルデバイスとの間の実際距離、候補ブリッジデバイスとウェアラブルデバイスとの間の変換距離、候補ブリッジデバイスとウェアラブルデバイスとの間の伝送信号強度、及び候補ブリッジデバイスの位置情報とウェアラブルデバイスの位置情報、のうちの少なくとも１つを含み、ここで、ウェアラブルデバイスは中央デバイスに対応する。
【００５０】
特に、本発明のこの実施形態において、中央デバイスは少なくとも１つのブリッジデバイスの識別子を連続して決定し、ここで、少なくとも１つのブリッジデバイスの識別子は、パラメータ情報が所定の条件を満たす少なくとも１つのブリッジデバイスに対応する識別子である。
【００５１】
任意選択では、中央デバイスが通信イベントを取得した後に、中央デバイスはパラメータ情報が所定の条件を満たす少なくとも１つのブリッジデバイスのうちの最も最近決定された識別子を取得してもよく、ここで、中央デバイスによって決定される少なくとも１つのブリッジデバイスの識別子は、中央デバイスが通信イベントを取得する前に中央デバイスによって最後に決定されたものであってもよく、次いで通信イベントの受信後にユーザ装置によって察知されるか、又は中央デバイスが通信イベントを察知した後に中央デバイスによって決定されたものであってもよい。
【００５２】
任意選択では、中央デバイスが通信イベントを受信可能であるとき、中央デバイスはウェアラブルデバイスに対応する。１つの中央デバイスがユーザの複数のウェアラブルデバイスに対応してもよく、すなわち、中央デバイスがウェアラブルデバイスに対応する。本発明のこの実施形態では、中央デバイスがウェアラブルデバイスに対応することは、中央デバイスがウェアラブルデバイスとペアリングされることであってもよく、また本発明のこの実施形態は中央デバイスとウェアラブルデバイスの間の対応方式に対して限定を設けない。
【００５３】
パラメータ情報が所定の条件を満たす少なくとも１つのブリッジデバイスを中央デバイスによって決定するための方法が後続の実施形態において詳細に例証されることに留意すべきである。
【００５４】
パラメータ情報が所定の条件を満たす少なくとも１つのブリッジデバイスを中央デバイスによって決定するための多数の方法が存在することが理解でき、本発明のこの実施形態で提供される方法に限定されない。
【００５５】
任意選択では、少なくとも１つのブリッジデバイスの識別子は、ブリッジデバイスの名称、ブリッジデバイスのＩＤ（Ｉｄｅｎｔｉｔｙ、アイデンティティ）、ブリッジデバイスを表すアイコン又はコード等であってもよく、本発明における限定されない。
【００５６】
Ｓ１０３．中央デバイスが、少なくとも１つのブリッジデバイスの識別子に従って、通信イベントに対応する通知情報を少なくとも１つのブリッジデバイスに送信し、少なくとも１つのブリッジデバイスは通知情報を提示する。
【００５７】
中央デバイスが候補ブリッジデバイスのパラメータ情報に従って少なくとも１つのブリッジデバイスの識別子を決定した後に、中央デバイスは、少なくとも１つのブリッジデバイスの識別子に従って、通信イベントに対応する通知情報を少なくとも１つのブリッジデバイスにおける各ブリッジデバイスに個別に送信し、各ブリッジデバイスが通知情報を個別に提示し、ここで、少なくとも１つのブリッジデバイスは、中央デバイスによって決定された、パラメータ情報が所定の条件を満たすブリッジデバイスである。
【００５８】
本発明のこの実施形態で提供される通信イベント通知方法における候補ブリッジデバイス及び中央デバイスは、同じローカルネットワークに属してもよく、すなわち、それらは同じスマートホームシステムに配置され、すべてのスマートホームは、有線又は無線技術を使用することによって相互接続及び相互動作してもよい。候補ブリッジデバイス及び中央デバイスはまた、オペレータネットワーク又はインターネットを使用することによって互いに通信してもよい。
【００５９】
任意選択では、本発明のこの実施形態における通知情報は、通信イベントに従って取得された情報である。
【００６０】
例証として、スマートフォンがＡからの呼１を受信した後に、スマートフォンは取得した通信イベントが呼であることを察知することが可能であり、これによりスマートフォンは、収集した通信イベントの種別、すなわち、呼、に従って、呼１の着信音、着信呼番号、スマートフォンの番号、等を取得することが可能である。呼１の着信音、着信呼番号及びスマートフォンの番号のすべては、Ａからの呼１に関連する情報であり、すなわち、これらは呼１に対応する通知情報である。
【００６１】
本発明のこの実施形態では、中央デバイス、ウェアラブルデバイス及びブリッジデバイスがスイッチオン又は電源オンの状態にあることに留意すべきである。
【００６２】
本発明のこの実施形態はさらに、通信イベント通知方法を提供する。図２に示したように、本方法は、ブリッジデバイス側における通信イベント通知方法であり、また本方法は、以下のステップを含むものであってもよい。
【００６３】
Ｓ２０１．ブリッジデバイスがウェアラブルデバイスによって送信された伝送信号を受信する。
【００６４】
本発明のこの実施形態におけるブリッジデバイス及びウェアラブルデバイスは、無線技術を使用することによって相互接続及び相互動作することに留意すべきである。１つのブリッジデバイスは、複数のウェアラブルデバイスと別々に無線通信を実行することが可能である。
【００６５】
ブリッジデバイスは、ウェアラブルデバイスによって送信された伝送信号、すなわち、第１のワイヤレスブロードキャスト信号、を受信し、ここで、ウェアラブルデバイスの識別子は第１のワイヤレスブロードキャスト信号で伝達されている。
【００６６】
ウェアラブルデバイスの識別子が第１のワイヤレスブロードキャスト信号で伝達され得るため、ブリッジデバイスがウェアラブルデバイスの識別子を取得した後に、ブリッジデバイスはウェアラブルデバイスと中央デバイスの間の対応関係に従って中央デバイスの識別子を取得してもよく、中央デバイスの識別子に従って、中央デバイスに対応する情報を中央デバイスに送信してもよく、ここで、中央デバイスとは通信イベントを受信可能なデバイスを表す、ことに留意すべきである。
【００６７】
任意選択では、ウェアラブルデバイスが第１のワイヤレスブロードキャスト信号を送信する方式は、周期的であってもよいし、又は非周期的であってもよい。任意選択の送信方式は実際の状況に依存し、本発明のこの実施形態に限定されない。
【００６８】
例証として、スマートホームシステム内のすべてのウェアラブルデバイスは、Ａ、Ｂ、Ｃ及びＤであり、ブリッジデバイスがウェアラブルデバイスＡによって周期的に送信される第１のワイヤレスブロードキャスト信号を取得し、ここで、ウェアラブルデバイスＡが第１のワイヤレスブロードキャスト信号を送信する周期は１０秒であるか、或いはブリッジデバイスはウェアラブルデバイスＡによって断続的に送信される第１のワイヤレスブロードキャスト信号を取得し、すなわち、ウェアラブルデバイスＡは第１のワイヤレスブロードキャスト信号を不定期的な時間周期で送信する。
【００６９】
Ｓ２０２．ブリッジデバイスが伝送信号に従ってブリッジデバイスのリファレンス情報を決定し、ここで、ブリッジデバイスのリファレンス情報は、ブリッジデバイスの位置情報及びウェアラブルデバイスの位置情報を含むか、又は伝送信号の伝送信号強度を含むか、又はブリッジデバイスの位置情報、ウェアラブルデバイスの位置情報及び伝送信号強度を含む。
【００７０】
ブリッジデバイスがウェアラブルデバイスによって送信された伝送信号を受信した後に、ブリッジデバイスは伝送信号に従ってブリッジデバイスのリファレンス情報を決定し、ここで、ブリッジデバイスのリファレンス情報は、ブリッジデバイスの位置情報及びウェアラブルデバイスの位置情報を含むか、又は伝送信号の伝送信号強度を含むか、又はブリッジデバイスの位置情報、ウェアラブルデバイスの位置情報及び伝送信号強度を含む。
【００７１】
リファレンス情報に含まれているウェアラブルデバイスの位置情報及び伝送信号の伝送信号強度が伝送信号に従ってブリッジデバイスによって決定されることに留意すべきである。
【００７２】
Ｓ２０３．ブリッジデバイスが中央デバイスにリファレンス情報を報告し、これにより、中央デバイスが、すべての候補ブリッジデバイスによって報告されたリファレンス情報に従って対応するパラメータ情報を決定し、パラメータ情報に従って少なくとも１つのブリッジデバイスの識別子を決定し、少なくとも１つのブリッジデバイスの識別子に従って、通信イベントに対応する通知情報を少なくとも１つのブリッジデバイスに送信し、ここで、少なくとも１つのブリッジデバイスのパラメータ情報は所定の条件を満たす。
【００７３】
ブリッジデバイスが伝送信号に従ってブリッジデバイスのリファレンス情報を決定した後に、ブリッジデバイスは中央デバイスにリファレンス情報を報告し、これにより中央デバイスが、すべての候補ブリッジデバイスによって報告されたリファレンス情報に従って対応するパラメータ情報を決定し、パラメータ情報に従って少なくとも１つのブリッジデバイスの識別子を決定し、少なくとも１つのブリッジデバイスの識別子に従って、通信イベントに対応する通知情報を少なくとも１つのブリッジデバイスに送信し、ここで、少なくとも１つのブリッジデバイスのパラメータ情報は所定の条件を満たす。
【００７４】
本発明のこの実施形態における候補ブリッジデバイスは、全てのブリッジデバイスにおいて、情報報告サービスを有する複数の候補ブリッジデバイスであり、少なくとも１つのブリッジデバイスは、パラメータ情報が複数の候補ブリッジデバイスにおいて所定の条件を満たすブリッジデバイスであり、すべてのブリッジデバイスはスマートホームシステム内に見出すことが可能なすべてのブリッジデバイスであること、に留意すべきである。
【００７５】
特に、本発明のこの実施形態において、ユーザ装置、ウェアラブルデバイス及びブリッジデバイスはすべてスイッチオン又は電源オンの状態にある。
【００７６】
本発明のこの実施形態はさらに、通信イベント通知方法を提供する。図３に示したように、本方法は、ウェアラブルデバイス側における通信イベント通知方法であり、また本方法は、以下のステップを含むものであってもよい。
【００７７】
Ｓ３０１．ウェアラブルデバイスは、第１のワイヤレスブロードキャスト信号を複数の候補ブリッジデバイスに送信し、これにより第１のワイヤレスブロードキャスト信号に従って複数のリファレンス情報を別々に取得した後に、複数の候補ブリッジデバイスが、中央デバイスに複数のリファレンス情報を送信し、中央デバイスは複数のリファレンス情報に従って複数のパラメータ情報を決定し、複数の候補ブリッジデバイスから、パラメータ情報が所定の条件を満たす少なくとも１つのブリッジデバイスの識別子を決定し、少なくとも１つのブリッジデバイスの識別子に従って、通信イベントに対応する通知情報を少なくとも１つのブリッジデバイスに送信し、少なくとも１つのブリッジデバイスは通知情報を提示し、ここで、通知情報は通信イベントが察知された後に通信イベントに従って取得された情報であり、中央デバイスはウェアラブルデバイスに対応する。
【００７８】
任意選択では、ウェアラブルデバイスが第１の伝送信号を送信する方式は、周期的であってもよいし、又は非周期的であってもよい。任意選択の送信方式は実際の状況に依存し、本発明のこの実施形態に限定されない。
【００７９】
ウェアラブルデバイスは、メガネ、手袋、時計、宝飾品、衣服、又は靴などのスマートウェアラブルデバイスであることに留意すべきである。任意選択では、市場において現在入手可能なウェアラブルデバイスは、スマートウォッチ、スマートバンド、頭部装着ディスプレイ、スマートシューズ、電子ドラムマシン、Ｔシャツ等を含む。本発明のこの実施形態におけるウェアラブルデバイスは、ユーザにより持ち運び可能であって、第１の伝送信号を送信可能なスマートデバイスであってもよい。
【００８０】
本発明のこの実施形態で提供される通信イベント通知方法によれば、中央デバイスは通信イベントを察知し、中央デバイスは候補ブリッジデバイスのパラメータ情報に従って少なくとも１つのブリッジデバイスの識別子を決定し、ここで、少なくとも１つのブリッジデバイスのパラメータ情報は所定の条件を満たし、候補ブリッジデバイスのパラメータ情報は、候補ブリッジデバイスとウェアラブルデバイスとの間の実際距離、候補ブリッジデバイスとウェアラブルデバイスとの間の変換距離、候補ブリッジデバイスとウェアラブルデバイスとの間の伝送信号強度、及び候補ブリッジデバイスの位置情報とウェアラブルデバイスの位置情報、のうちの少なくとも１つを含み、最後に中央デバイスは、少なくとも１つのブリッジデバイスの識別子に従って、通信イベントに対応する通知情報を少なくとも１つのブリッジデバイスに送信し、少なくとも１つのブリッジデバイスが通知情報を提示する。この解決策によると、中央デバイスは少なくとも１つのブリッジデバイスを使用することによって通信イベントに対応する通知情報を提示することが可能であり、少なくとも１つのブリッジデバイスは、パラメータ情報が所定の条件を満たすブリッジデバイスであり、すなわち、中央デバイスは、ウェアラブルデバイスからの距離又は報告された伝送信号強度が特定の条件を満たす少なくとも１つのブリッジデバイスを選択し、通知情報の提示を保証することが可能であり、したがって、通知情報は、所定の条件に従って柔軟に提示可能である。
実施形態２
【００８１】
本発明のこの実施形態は、通信イベント通知方法を提供する。図４Ａ及び図４Ｂに示したように、本方法は、以下のステップを含むものであってもよい。
【００８２】
Ｓ４０１．中央デバイスが候補ブリッジデバイスの識別子及び候補ブリッジデバイスの能力情報を別々に取得する。
【００８３】
本発明のこの実施形態で提供される通信イベント通知方法はスマートホームシステムに適用し得ることに留意すべきである。スマートホームシステムでは、有線又は無線技術を使用することによって、すべてのスマートホームは相互接続及び相互動作可能である。通常の無線技術は、ＷｉＦｉ、Ｂｌｕｅｔｏｏｔｈ、Ｚｉｇｂｅｅ、Ｚ−ｗａｖｅ、等を含むものであってもよい。本発明のこの実施形態では、スマートホームシステムにおけるスマートホームが同一のローカルネットワークに属してもよく、ここで、ローカルネットワークは、通常の無線技術を使用することによって実装されてもよく、候補ブリッジデバイス及び中央デバイスはまた、オペレータネットワーク又はインターネットを使用することによって互いに通信してもよい。
【００８４】
本発明のこの実施形態では、通信イベント通知の実現のための前提は、通信イベント通知方法を実現するためのすべてのデバイスが同じネットワーク、すなわち、同じローカルネットワークに属し得ることである。候補ブリッジデバイスは、同じネットワーク内のすべてのブリッジデバイスであってもよいし、又はすべてのブリッジデバイス内の複数の候補ブリッジデバイスであってもよく、本発明では限定されない。
【００８５】
中央デバイスは、候補ブリッジデバイスの識別子及び候補ブリッジデバイスの能力情報を別々に取得し、すなわち、中央デバイスはローカルネットワーク内で候補ブリッジデバイスを発見し、すなわち、候補ブリッジデバイスの識別子を取得し、候補ブリッジデバイスの能力情報を取得し、ブリッジデバイスの能力を別々に決定する。
【００８６】
ブリッジデバイスの能力情報は、サービス情報、提示能力、復号化情報、分解能、等を含み得ることに留意すべきである。
【００８７】
任意選択では、中央デバイスは、ローカルネットワーク内でブリッジデバイスを検索し、以下を含む方式でブリッジデバイスの能力情報を取得してもよい。
（１）．ＵＰｎＰデバイスを使用してブリッジデバイスを発見する。任意選択では、中央デバイスはＭ−ｓｅａｒｃｈを使用することによってローカルネットワーク内でブリッジデバイスを積極的に検索し、このブリッジデバイスの識別子を取得し、ＧｅｔＰｒｏｔｏｃｏｌ（）アクションを送信してブリッジデバイスの能力情報を取得する。あるいは、中央デバイスは、ＳＳＤＰ（Ｓｉｍｐｌｅ  Ｓｅｒｖｉｃｅ  Ｄｉｓｃｏｖｅｒｙ  Ｐｒｏｔｏｃｏｌ、単純サービス発見プロトコル）ブロードキャストメッセージを送信しブリッジデバイスの識別子及びブリッジデバイスの能力情報のアドレスを取得し、能力情報のアドレスに従ってブリッジデバイスの能力情報を取得する。
（２）．中央デバイスが、ｍＤＮＳ（ｍｕｌｔｉｃａｓｔＤＮＳ、マルチキャストＤＮＳ）ブロードキャストメッセージを送信してブリッジデバイスの識別子及びブリッジデバイスの能力情報を直接取得する。
【００８８】
中央デバイスが候補ブリッジデバイスの識別子及び候補ブリッジデバイスの能力情報を方式（１）で収集するとき、中央デバイスは、ＵＰｎＰ（Ｕｎｉｖｅｒｓａｌ  Ｐｌｕｇ  ａｎｄ  Ｐｌａｙ、ユニバーサル・プラグ・アンド・プレイ）機能を有する中央デバイスである必要があることに留意すべきである。任意選択では、中央デバイスは、ＵＰｎＰプロトコル又はＵＰｎＰアプリケーションがインストールされた中央デバイスであってもよい。
【００８９】
ＵＰｎＰ規格は、ローカルネットワークにおいてメディア共有アプリケーションを実現し、以下の３つのエンティティを規定している。
（１）．Ｍｅｄｉａ  Ｒｅｎｄｅｒｅｒ、すなわち、制御ポイントデバイスによって指定されたメディアコンテンツを再生することが可能なメディア提示デバイスであり、ここで、メディア提示デバイスは、ＴＶなどのデバイスであってもよい。
（２）．Ｍｅｄｉａ  Ｓｅｒｖｅｒ、すなわち、メディアコンテンツを記憶するメディアサービスデバイスであり、ここで、メディアサーバは、ＰＣなどのデバイスであってもよい。
（３）．Ｃｏｎｔｒｏｌ  Ｐｏｉｎｔ、すなわち、Ｍｅｄｉａ  Ｓｅｒｖｅｒ上に記憶されたメディアコンテンツを検索し、指定されたコンテンツがＭｅｄｉａ  Ｒｅｎｄｅｒｅｒ上で再生されるように制御することが可能な制御ポイントデバイスであり、ここで、制御ポイントデバイスは、携帯電話又はテレビのリモコンなどのデバイスであってもよい。
【００９０】
本発明のこの実施形態では、中央デバイスはメディアサービスデバイスだけでなく、制御ポイントデバイスでもあり、ブリッジデバイスはメディア提示デバイスであってもよい。
【００９１】
任意選択では、中央デバイスは、スマートフォン、コンピュータ、タブレットコンピュータ、等であってもよい。ブリッジデバイスは、例えば、携帯電話、モバイル電源、タブレットコンピュータ、携帯情報端末、コンピュータ、メディアプレーヤ、スマートテレビ、サウンドボックス、スマート冷蔵庫、エアコン、湯沸器、電子レンジ及びトレッドミルなど、スマート家電及び電子デバイス（を含むものであってもよい。本発明のこの実施形態におけるブリッジデバイスは、伝送信号を送信及び／又は受信可能なスマートデバイスであってもよい。無線通信は、中央デバイスとブリッジデバイスの間で実行することが可能である。
【００９２】
任意選択では、本発明のこの実施形態におけるブリッジデバイスの識別子は、ブリッジデバイスの名称、ブリッジデバイスのＩＤ（Ｉｄｅｎｔｉｔｙ、アイデンティティ）、ブリッジデバイスを表すアイコン又はコード、等であってもよく、本発明にでは限定されない。
【００９３】
Ｓ４０２．中央デバイスが、候補ブリッジデバイスから候補ブリッジデバイスの能力情報に従って、情報報告サービスを有する複数の候補ブリッジデバイスの識別子を決定する。
【００９４】
中央デバイスが候補ブリッジデバイスの識別子及び候補ブリッジデバイスの能力情報を別々に取得した後に、中央デバイスは、候補ブリッジデバイスから候補ブリッジデバイスの能力情報に従って、情報報告サービスを有する複数の候補ブリッジデバイスの識別子を決定し、ここで、複数の候補ブリッジデバイスの識別子は複数の候補ブリッジデバイスに対応する。
【００９５】
任意選択では、候補ブリッジデバイスの能力情報は、候補ブリッジデバイスのサービス情報を含む。したがって、中央デバイスは、候補ブリッジデバイスから候補ブリッジデバイスのサービス情報に従って、情報報告サービスを有する複数の候補ブリッジデバイスの識別子を決定し、すなわち、情報報告サービスを有する複数の候補ブリッジデバイスを決定することが可能であり、ここで、複数の候補ブリッジデバイスの識別子は複数の候補ブリッジデバイスに対応する。
【００９６】
複数の候補ブリッジデバイスが情報報告サービスを有することは、複数の候補ブリッジデバイスのうちの各候補ブリッジデバイスが中央デバイスに取得された情報を報告可能であることを意味することに留意すべきである。
【００９７】
Ｓ４０３．中央デバイスが複数の候補ブリッジデバイスの識別子に従って複数の候補ブリッジデバイスの情報報告サービスに個別に加入する。
【００９８】
中央デバイスが候補ブリッジデバイスから候補ブリッジデバイスの能力情報に従って情報報告サービスを有する複数の候補ブリッジデバイスの識別子を決定した後に、中央デバイスは、複数のブリッジデバイスの識別子に従って複数のブリッジデバイスの信号強度報告サービスに個別に加入する。
【００９９】
本発明のこの実施形態では、中央デバイスが複数の候補ブリッジデバイスの情報報告サービスに個別に加入するとは、中央デバイスが複数の候補ブリッジデバイスに情報を報告することであることに留意すべきである。
【０１００】
任意選択では、図５Ａ及び図５Ｂに示したように、中央デバイスが複数の候補ブリッジデバイスの識別子に従って複数の候補ブリッジデバイスの情報報告サービスに個別に加入するプロセスは、以下のステップＳ４０３１〜Ｓ４０３２を含む。
【０１０１】
Ｓ４０３１．中央デバイスが、複数のブリッジデバイスの識別子に従って複数の候補ブリッジデバイスにリクエストメッセージを個別に送信し、ここで、リクエストメッセージは、情報報告サービスを個別に提供するように複数の候補ブリッジデバイスに要求するために使用され、ここで、当該情報報告サービスは、位置情報報告サービス、伝送信号強度報告サービス、又は位置情報報告サービスと伝送信号強度報告サービスであり、ここで、情報報告サービスは位置情報報告サービスであり、パラメータ情報は、候補ブリッジデバイスとウェアラブルデバイスとの間の実際距離、及び候補ブリッジデバイスの位置情報とウェアラブルデバイスの位置情報、のうちの少なくとも１つを含むか、又は情報報告サービスは、伝送信号強度報告サービスであり、パラメータ情報は、候補ブリッジデバイスとウェアラブルデバイスの間の変換距離及び候補ブリッジデバイスとウェアラブルデバイスとの間の伝送信号強度のうちの少なくとも１つを含むか、又は情報報告サービスは、位置情報報告サービス及び伝送信号強度報告サービスであり、パラメータ情報は、候補ブリッジデバイスとウェアラブルデバイスとの間の実際距離、候補ブリッジデバイスの位置情報とウェアラブルデバイスの位置情報、並びに候補ブリッジデバイスとウェアラブルデバイスとの間の変換距離及び候補ブリッジデバイスとウェアラブルデバイスとの間の伝送信号強度のうちの少なくとも１つ、を含む。
【０１０２】
中央デバイスがリクエストメッセージを複数の候補ブリッジデバイスの識別子に従って複数の候補ブリッジデバイスに別々に送信していること、すなわち、複数の候補ブリッジデバイスが、中央デバイスによって別々に送信されたリクエストメッセージを受信し、ここで、リクエストメッセージは、情報報告サービスを提供するように複数の候補ブリッジデバイスの各ブリッジデバイスに要求するために使用され、すなわち、リクエストメッセージが情報報告サービスを個別に提供するように複数の候補ブリッジデバイスに要求するために使用されることが理解できよう。
【０１０３】
ウェアラブルデバイスは、メガネ、手袋、時計、宝飾品、衣服、又は靴などのスマートウェアラブルデバイスであることに留意すべきである。任意選択では、現在のウェアラブルデバイスには、スマートウォッチ、スマートバンド、頭部装着ディスプレイ、スマートシューズ、電子ドラムマシン、Ｔシャツ、等が含まれる。本発明のこの実施形態におけるウェアラブルデバイスは、ユーザにより持ち運び可能であって、第１のワイヤレスブロードキャスト信号を送信可能なスマートデバイスであってもよい。
【０１０４】
本発明のこの実施形態では、中央デバイスとウェアラブルデバイスの間の対応関係もまたリクエストメッセージで伝達され、中央デバイスはこの対応関係に従ってウェアラブルデバイスとペアリングされ、任意選択で、中央デバイスは、Ｂｌｕｅｔｏｏｔｈなどの無線技術を使用することによってウェアラブルデバイスとペアリングされてもよいことに留意すべきである。本発明のこの実施形態は、対応関係の方式に対して限定を設けない。
【０１０５】
任意選択では、中央デバイスとウェアラブルデバイスの間の対応関係は、１つの中央デバイスがユーザの複数のウェアラブルデバイスに対応し得ること、すなわち、中央デバイスがウェアラブルデバイスに対応することを含むものであってもよい。
【０１０６】
Ｓ４０３２．複数の候補ブリッジデバイスがリクエストメッセージに対応するレスポンスメッセージを中央デバイスに別々に送信する。
【０１０７】
中央デバイスがリクエストメッセージを複数のブリッジデバイスの識別子に従って複数の候補ブリッジデバイスに別々に送信した後に、複数の候補ブリッジデバイスの各候補ブリッジデバイスは、リクエストメッセージに対応するレスポンスメッセージを中央デバイスに送信し、すなわち、中央デバイスは情報報告サービスに加入する。
【０１０８】
Ｓ４０４．ウェアラブルデバイスが複数の候補ブリッジデバイスに第１の伝送信号を送信し、ここでウェアラブルデバイスの識別子は第１の伝送信号で伝達される。
【０１０９】
中央デバイスが複数の候補ブリッジデバイスの識別子に従って複数の候補ブリッジデバイスの情報報告サービスに加入した後に、ウェアラブルデバイスは、第１の伝送信号、すなわち、第１のワイヤレスブロードキャスト信号を、複数の候補ブリッジデバイスの各候補ブリッジデバイスに送信し、ここで、ウェアラブルデバイスの識別子は第１の伝送信号で伝達される。
【０１１０】
任意選択では、第１の伝送信号は、第１のＢｌｕｅｔｏｏｔｈブロードキャスト信号であってもよい。
【０１１１】
ウェアラブルデバイスの識別子が第１の伝送信号で伝達されるため、複数の候補ブリッジデバイスの各候補ブリッジデバイスは、ウェアラブルデバイスの識別子に従って、ウェアラブルデバイスの識別子に対応する中央デバイス、すなわち、ウェアラブルデバイスに対応する中央デバイスに第１の伝送信号の信号強度を報告可能であることに留意すべきである。
【０１１２】
任意選択では、ウェアラブルデバイスが第１のワイヤレスブロードキャスト信号を送信する方式は、例えば、周期が１秒など、周期的であってもよいし、又は非周期的、すなわち、断続的であってもよい。任意選択の送信方式は、実際の状況に依存し、本発明のこの実施形態では限定されない。
【０１１３】
例証として、スマートホームシステム内のあるウェアラブルデバイスがＡであり、複数の候補ブリッジデバイスの１つのブリッジデバイスがテレビであり、ウェアラブルデバイスＡが、第１のワイヤレスブロードキャスト信号をテレビに周期的に送信し、ここで、ウェアラブルデバイスＡが第１のワイヤレスブロードキャスト信号を送信する周期が１０秒であるか、或いはウェアラブルデバイスＡは、第１のワイヤレスブロードキャスト信号をテレビに断続的に送信し、すなわち、ウェアラブルデバイスＡは、第１のワイヤレスブロードキャスト信号をテレビに不定期の時間間隔で送信する。
【０１１４】
ウェアラブルデバイスは第１のワイヤレスブロードキャスト信号を連続して送信しており、第１のワイヤレスブロードキャスト信号を送信するための時間は限定されないことに留意すべきである。ウェアラブルデバイスと中央デバイスの間において無線通信の実行が可能であり、したがって、ウェアラブルデバイスは、ウェアラブルデバイスと中央デバイスの間のワイヤレス接続が切断されているときも第１のワイヤレスブロードキャスト信号を送信可能であり、また中央デバイスとウェアラブルデバイスが無線接続されているときにも第１のワイヤレスブロードキャスト信号を送信可能である。
【０１１５】
Ｓ４０５．複数の候補ブリッジデバイスがウェアラブルデバイスに第２の伝送信号を別々に送信し、ここで、第１の伝送信号を送信するようにウェアラブルデバイスに要求するためのメッセージは、第２の伝送信号で伝達される。
【０１１６】
中央デバイスが複数の候補ブリッジデバイスの識別子に従って複数の候補ブリッジデバイスの情報報告サービスに加入した後に、複数の候補ブリッジデバイスは、第２の伝送信号をウェアラブルデバイスに別々に送信し、ここで、伝送信号を送信するようにウェアラブルデバイスに要求するためのメッセージは、第２の伝送信号で伝達される。
【０１１７】
任意選択では、複数の候補ブリッジデバイスによって別々に送信される第２の伝送信号は、第２のワイヤレスブロードキャスト信号であり、ここで、第２のワイヤレスブロードキャスト信号は、第２のＢｌｕｅｔｏｏｔｈブロードキャスト信号であってもよい。
【０１１８】
任意選択では、複数の候補ブリッジデバイスが第２のワイヤレスブロードキャスト信号を別々に送信する方式は、例えば、周期が１秒であるなど、周期的であってもよいし、又は非周期的、すなわち、断続的であってもよい。任意選択の送信方式は、実際の状況に依存し、本発明のこの実施形態において限定されない。
【０１１９】
例証として、スマートホームシステム内のブリッジデバイスは冷蔵庫であり、ウェアラブルデバイスはＡである、冷蔵庫がウェアラブルデバイスＡに第２のワイヤレスブロードキャスト信号を周期的に送信し、ここで、冷蔵庫が第２のワイヤレスブロードキャスト信号を送信する周期は１秒であるか、或いは冷蔵庫は、第２のワイヤレスブロードキャスト信号をウェアラブルデバイスＡに断続的に送信し、すなわち、冷蔵庫は、第２のワイヤレスブロードキャスト信号をウェアラブルデバイスＡに不定期の時間間隔で送信する。
【０１２０】
Ｓ４０６．ウェアラブルデバイスが第２の伝送信号に従って第１の伝送信号を複数の候補ブリッジデバイスに送信し、ここで、ウェアラブルデバイスの識別子は第１の伝送信号で伝達される。
【０１２１】
複数の候補ブリッジデバイスが第２の伝送信号、すなわち、第２のワイヤレスブロードキャスト信号をウェアラブルデバイスに別々に送信した後に、ウェアラブルデバイスは、第２のワイヤレスブロードキャスト信号に従って第１のブロードキャスト信号を複数の候補ブリッジデバイスに送信し、ここで、ウェアラブルデバイスの識別子は第１のワイヤレスブロードキャスト信号で伝達される。
【０１２２】
特に、複数の候補ブリッジデバイスは、ウェアラブルデバイスによって送信された第１のワイヤレスブロードキャスト信号を、積極的取得及び消極的取得という２つの方式で取得してもよい。ステップＳ４０４は、複数の候補ブリッジデバイスがウェアラブルデバイスによって送信された第１のワイヤレスブロードキャスト信号を消極的に取得する方式である。ステップＳ４０５〜Ｓ４０６は、複数の候補ブリッジデバイスがウェアラブルデバイスによって送信された第１のワイヤレスブロードキャスト信号を積極的に取得する方式である。
【０１２３】
ステップＳ４０４及びＳ４０５〜Ｓ４０６はステップＳ４０３に続く２つの並列のステップであり、すなわち、本発明のこの実施形態では、ステップＳ４０３の後にステップＳ４０４又はステップＳ４０５〜Ｓ４０６のいずれかが実行され、これは本発明において限定されないことに留意すべきである。
【０１２４】
Ｓ４０７．複数の候補ブリッジデバイスが第１の伝送信号に従って複数の候補ブリッジデバイスのリファレンス情報を決定し、ここで、複数の候補ブリッジデバイスのリファレンス情報は、ブリッジデバイスの位置情報及びウェアラブルデバイスの位置情報を含むか、又は伝送信号の伝送信号強度を含むか、又はブリッジデバイスの位置情報、ウェアラブルデバイスの位置情報及び伝送信号強度を含む。
【０１２５】
ウェアラブルデバイスが複数の候補ブリッジデバイスに第１のブロードキャスト信号を送信した後、又はウェアラブルデバイスが第１のブロードキャスト信号を第２のワイヤレスブロードキャスト信号に従って複数の候補ブリッジデバイスに送信した後に、複数の候補ブリッジデバイスは、第１の伝送信号に従って複数の候補ブリッジデバイスの各ブリッジデバイスのリファレンス情報を決定し、ここで、各ブリッジデバイスのリファレンス情報は、各ブリッジデバイスの位置情報及びウェアラブルデバイスの位置情報、又は伝送信号の伝送信号強度、又は各ブリッジデバイスの位置情報、ウェアラブルデバイスの位置情報及び伝送信号強度を含む。
【０１２６】
リファレンス情報に含まれるウェアラブルデバイスの位置情報及び伝送信号の伝送信号強度は、候補ブリッジデバイスによって第１の伝送信号、すなわち、第１のブロードキャスト信号に従って決定されることに留意すべきである。
【０１２７】
任意選択では、複数の候補ブリッジデバイスの各ブリッジデバイスは、第１の伝送信号に従って第１の伝送信号の伝送信号強度を計測して伝送信号強度を決定し、複数のブリッジデバイスの各ブリッジデバイスは、ウェアラブルデバイスの位置情報及び複数の候補ブリッジデバイスの各ブリッジデバイスの位置情報をウェアラブルデバイスの識別子に従って中央デバイスに別々に報告する。
【０１２８】
任意選択では、ウェアラブルデバイスの位置情報及び各ブリッジデバイスの位置情報は、ウェアラブルデバイスの位置座標及び各ブリッジデバイスの位置座標であってもよいし、又はウェアラブルデバイスの経度及び緯度並びに各ブリッジデバイスの経度及び緯度であってもよく、本発明において限定されない。
【０１２９】
任意選択では、複数の候補ブリッジデバイスが情報報告サービスを有するとき、ここで、情報報告サービスは、位置情報報告サービス、伝送信号強度報告サービス、又は位置情報報告サービスと伝送信号強度報告サービスであり、複数の候補ブリッジデバイスは、第１の伝送信号を送信するウェアラブルデバイスに対応する位置情報及び複数のブリッジデバイスの各ブリッジデバイスの位置情報を取得するか、又は伝送信号の伝送信号強度を取得してもよい。
【０１３０】
ステップＳ４０４〜Ｓ４０７及びステップＳ４０５〜Ｓ４０６〜Ｓ４０７は、スマートホームシステムにおいて連続して実行されるステップであってもよく、すなわち、ステップＳ４０４〜Ｓ４０７及びステップＳ４０５〜Ｓ４０６〜Ｓ４０７は、本発明のこの実施形態で提供される通信イベント通知方法のプロセスにおいて連続して実行されることに留意すべきである。
【０１３１】
Ｓ４０８．複数の候補ブリッジデバイスがリファレンス情報を中央デバイスに報告する。
【０１３２】
複数の候補ブリッジデバイスが第１の伝送信号に従って複数の候補ブリッジデバイスのリファレンス情報を決定した後に、複数の候補ブリッジデバイスは、ウェアラブルデバイスの識別子に従ってリファレンス情報を中央デバイスに別々に報告してもよくここで、リファレンス情報は、ウェアラブルデバイスの位置情報、複数の候補ブリッジデバイスの各ブリッジデバイスの位置情報、及び／又は伝送信号強度であり、ここで、複数の候補ブリッジデバイスの識別子は報告されるリファレンス情報のそれぞれに対応する。
【０１３３】
任意選択では、複数の候補ブリッジデバイスの各ブリッジデバイスは、あるウェアラブルデバイスの識別子及びウェアラブルデバイスと中央デバイスの間の対応関係に従って、ウェアラブルデバイスに対応する中央デバイスの識別子を決定してもよい。複数の候補ブリッジデバイスの各ブリッジデバイスは、第１の伝送信号の伝送信号強度及び複数の候補ブリッジデバイスの各ブリッジデバイスの識別子を、中央デバイスの識別子に従って中央デバイスに報告する。
【０１３４】
複数のブリッジデバイスはリファレンス情報を中央デバイスにイベントとして報告することに留意すべきである。
【０１３５】
任意選択では、複数の候補ブリッジデバイスは、第１の伝送信号の伝送信号強度及び複数の候補ブリッジデバイスの識別子をウェアラブルデバイスの識別子に従って任意の中央デバイスに別々に報告してもよい。中央デバイスがあるウェアラブルデバイスによって送信された第１の伝送信号の、ブリッジデバイスによって報告された伝送信号強度を取得したとき、中央デバイスがウェアラブルデバイスに対応していない場合、すなわち、ウェアラブルデバイスが中央デバイスとペアリングされたウェアラブルデバイスでない場合、中央デバイスはそのイベントを無視し、処理は実行されない。
【０１３６】
Ｓ４０９．中央デバイスが通信イベントを察知する。
【０１３７】
任意選択では、中央デバイスは、ユーザ装置、ブリッジデバイス、又はウェアラブルデバイスであってもよい。
【０１３８】
本発明のこの実施形態では、中央デバイスが通信イベントを察知し、中央デバイスがユーザ装置であるとき、ユーザ装置は他のユーザ装置により送信された通信イベントを受信してもよく、ここで、通信イベントは、呼、ショートメッセージ又は音声チャット情報、インスタントメッセージ、情報プッシング、等であってもよく、中央デバイスがブリッジデバイス又はウェアラブルデバイスであるとき、ブリッジデバイス又はウェアラブルデバイスは通信イベントを受信するか、或いはブリッジデバイス又はウェアラブルデバイスは通信イベントを直接受信せず、ユーザ装置によって通信イベントが受信されたことを察知可能である。
【０１３９】
任意選択では、ユーザ装置は、スマートフォン、コンピュータ又はタブレットコンピュータなどの電子デバイスであってもよく、中央デバイスは、通信イベントを察知可能なデバイスであってもよく、本発明において限定されない。
【０１４０】
中央デバイスが通信イベントを察知した後に、複数の候補ブリッジデバイスはリファレンス情報を報告し、ここで、リファレンス情報は、複数の候補ブリッジデバイスによって最も最近に報告されたものであり、すなわち、ステップＳ４０９はステップＳ４０８が実行される前に実行されてもよいことに留意すべきである。このため、本発明は、ステップＳ４０８及びステップＳ４０９を実行する順序に対して限定を設けない。
【０１４１】
任意選択では、ステップＳ４０４〜Ｓ４０８は本発明のこの実施形態において連続的に且つ循環的に実行されるステップである。ステップＳ４０９はステップＳ４０４とステップＳ４０８の間の任意のステップで実行されてもよく、本発明において限定されない。
【０１４２】
Ｓ４１０．中央デバイスが複数の候補ブリッジデバイスのパラメータ情報に従って少なくとも１つのブリッジデバイスの識別子を決定し、ここで、少なくとも１つのブリッジデバイスのパラメータ情報は所定の条件を満たし、候補ブリッジデバイスのパラメータ情報は、候補ブリッジデバイスとウェアラブルデバイスとの間の実際距離、候補ブリッジデバイスとウェアラブルデバイスとの間の変換距離、候補ブリッジデバイスとウェアラブルデバイスとの間の伝送信号強度、及び候補ブリッジデバイスの位置情報とウェアラブルデバイスの位置情報、のうちの少なくとも１つを含む。
【０１４３】
本発明のこの実施形態では、中央デバイスが通信イベントを察知した後に、中央デバイスは、複数の候補ブリッジデバイスのパラメータ情報に従って少なくとも１つのブリッジデバイスの識別子を決定してもよく、ここで、少なくとも１つのブリッジデバイスのパラメータ情報は所定の条件を満たし、候補ブリッジデバイスのパラメータ情報は、候補ブリッジデバイスとウェアラブルデバイスとの間の実際距離、候補ブリッジデバイスとウェアラブルデバイスとの間の変換距離、候補ブリッジデバイスとウェアラブルデバイスとの間の伝送信号強度、及び候補ブリッジデバイスの位置情報とウェアラブルデバイスの位置情報、のうちの少なくとも１つを含み、ここで、ウェアラブルデバイスは中央デバイスに対応する。
【０１４４】
任意選択では、中央デバイスが通信イベントを取得した後に、中央デバイスは、パラメータ情報が所定の条件を満たす少なくとも１つのブリッジデバイスのうちの最も最近決定された識別子を取得してもよく、ここで、中央デバイスによって決定される少なくとも１つのブリッジデバイスの識別子は、中央デバイスが通信イベントを収集する前に中央デバイスによって最後に決定されたものであってもよく、それから通信イベントの受信後にユーザ装置によって察知されるか、又は中央デバイスが通信イベントを察知した後に中央デバイスによって決定されてもよい。
【０１４５】
特に、本発明のこの実施形態において、中央デバイスは少なくとも１つのブリッジデバイスの識別子を連続して決定し、ここで、少なくとも１つのブリッジデバイスの識別子は、パラメータ情報が所定の条件を満たす少なくとも１つのブリッジデバイスに対応する識別子である。
【０１４６】
任意選択では、中央デバイスが通信イベントを受信可能であるとき、中央デバイスはウェアラブルデバイスに対応する。１つの中央デバイスがユーザの複数のウェアラブルデバイスに対応してもよく、すなわち、中央デバイスがウェアラブルデバイスに対応する。本発明のこの実施形態では、中央デバイスがウェアラブルデバイスに対応することは、中央デバイスがウェアラブルデバイスとペアリングされることであってもよく、本発明のこの実施形態は、対応関係の方式に対して限定を設けない。
【０１４７】
候補ブリッジデバイスとウェアラブルデバイスの間の距離が短くなるに従って、候補ブリッジデバイスによって受信され、ウェアラブルデバイスによって送信される第１の伝送信号の伝送信号強度はより強くなることを当業者が理解し得ることに留意すべきである。したがって、候補ブリッジデバイスとウェアラブルデバイスの間の距離を表すために第１の伝送信号の伝送信号強度がまた使用されてもよい。
【０１４８】
複数のブリッジデバイスのリファレンス情報の取得後に、中央デバイスは、リファレンス情報に従ってリファレンス情報に対応するパラメータ情報を決定することに留意すべきである。
【０１４９】
任意選択では、中央デバイスは、ウェアラブルデバイスの位置情報、複数の候補ブリッジデバイスの各ブリッジデバイスの位置情報、及び／又は伝送信号強度を取得し、中央デバイスは、ウェアラブルデバイスの位置情報、複数の候補ブリッジデバイスの各ブリッジデバイスの位置情報に従って候補ブリッジデバイスとウェアラブルデバイスとの間の実際距離を決定し、中央デバイスは、伝送信号強度に従って候補ブリッジデバイスとウェアラブルデバイスとの間の変換距離を計算する。すなわち、候補ブリッジデバイスとウェアラブルデバイスとの間の実際距離は、候補ブリッジデバイスによって報告された候補ブリッジデバイスの位置情報及びウェアラブルデバイスの位置情報の取得後に、当該候補ブリッジデバイスの位置情報及びウェアラブルデバイスの位置情報に従って中央デバイスによって決定され、候補ブリッジデバイスとウェアラブルデバイスとの間の伝送信号強度は、候補ブリッジデバイスによって報告された情報の取得後に、中央デバイスによって決定され、候補ブリッジデバイスとウェアラブルデバイスとの間の変換距離は、伝送信号強度に従った計算を通じて中央デバイスによって取得されている。
【０１５０】
任意選択では、パラメータ情報は、実際距離及び変換距離のうちの少なくとも１つであり、所定の条件は第１の所定の条件を有し、ここで、第１の所定の条件は、当該距離が最短であるか、又は当該距離が第１の所定の閾値未満であるということであり、又はパラメータ情報は、伝送信号強度であり、ここで、所定の条件は第２の所定の条件であり、ここで、第２の所定の条件は、当該信号強度が最も強いか、又は当該信号強度が第２の所定の閾値より大きいことであるか、又はパラメータ情報は、候補ブリッジデバイスの位置情報及びウェアラブルデバイスの位置情報であり、所定の条件は第３の所定の条件を有し、ここで、第３の所定の条件は、所定の地理的範囲が充足されることである。
【０１５１】
任意選択では、パラメータ情報が提示能力をさらに含み、所定の条件は更に第４の所定の条件を含み、ここで、第４の所定の条件は、画像が提示されるか、又は画像と音声が提示されるとことであり、少なくとも１つのブリッジデバイスの当該パラメータ情報が所定の条件を充足することは、以下を含む。
【０１５２】
実際距離が第１の所定の条件を満たし、提示能力が第４の所定の条件を満たすか、又は変換距離が第１の所定の条件を満たし、提示能力が第４の所定の条件を満たすか、又は伝送信号強度が第２の所定の条件を満たし、提示能力が第４の所定の条件を満たすか、又は候補ブリッジデバイスの位置情報及びウェアラブルデバイスの位置情報が第３の所定の条件を満たし、提示能力が第４の所定の条件を満たすか、又は実際距離が第１の所定の条件を満たし、伝送信号強度が第２の所定の条件を満たし、提示能力が第４の所定の条件を満たすか、又は変換距離が第１の所定の条件を満たし、伝送信号強度が第２の所定の条件を満たし、提示能力が第４の所定の条件を満たすか、又は実際距離が第１の所定の条件を満たし、候補ブリッジデバイスの位置情報及びウェアラブルデバイスの位置情報が第３の所定の条件を満たし、提示能力が第４の所定の条件を満たすか、又は変換距離が第１の所定の条件を満たし、候補ブリッジデバイスの位置情報及びウェアラブルデバイスの位置情報が第３の所定の条件を満たし、提示能力が第４の所定の条件を満たす。
【０１５３】
任意選択では、少なくとも１つのブリッジデバイスのパラメータ情報が所定の条件を満たすことは更に、実際距離又は変換距離が第１の所定の条件を満たすこと、候補ブリッジデバイスの位置情報及びウェアラブルデバイスの位置情報が第３の所定の条件を満たすこと、及び伝送信号強度が第２の所定の条件を満たすこと、のうちの少なくとも１つを含むことであってもよく、提示能力が第４の所定の条件を満たすことを含むことであってもよい。
【０１５４】
任意選択では、中央デバイスが複数の候補ブリッジデバイスのパラメータ情報に従って少なくとも１つのブリッジデバイスの識別子を決定することは、以下の幾つかの状況を含む。
（１）．中央デバイスがウェアラブルデバイスからの実際距離が最短である少なくとも１つのブリッジデバイスの識別子を決定する。
【０１５５】
中央デバイスが通信イベントを察知した後に、中央デバイスは、ウェアラブルデバイスからの距離が最短である少なくとも１つのブリッジデバイスの識別子を決定し、ここで、少なくとも１つのブリッジデバイスの識別子は中央デバイスによって最も最近に決定されたものである。
【０１５６】
任意選択では、中央デバイスは、複数の候補ブリッジデバイスの各ブリッジデバイスとウェアラブルデバイスの間の実際距離を、複数の候補ブリッジデバイスの各ブリッジデバイスの取得された位置情報及びウェアラブルデバイスの位置情報に従って別々に取得し、ウェアラブルデバイスからの実際距離が最短である少なくとも１つのブリッジデバイスの識別子を決定する。
【０１５７】
中央デバイスは、少なくとも１つのブリッジデバイスの識別子を、中央デバイスが通信イベントを察知する前、又は中央デバイスが通信イベントを察知した後に決定してもよく、本発明において限定されないことに留意すべきである。すなわち、中央デバイスは、少なくとも１つのブリッジデバイスの識別子を決定し、中央デバイスが通信イベントを察知した後に、中央デバイスは、少なくとも１つのブリッジデバイスの最も最近に決定された識別子を取得するか、或いは中央デバイスが通信イベントを取得した後に、中央デバイスは、少なくとも１つのブリッジデバイスの識別子を決定し、少なくとも１つのブリッジデバイスの識別子を取得する。
（２）．中央デバイスは、ウェアラブルデバイスからの変換距離が最短である少なくとも１つのブリッジデバイスの識別子を決定する。
【０１５８】
中央デバイスが通信イベントを察知した後に、中央デバイスは、ウェアラブルデバイスからの変換距離が最短である少なくとも１つのブリッジデバイスの識別子を決定し、ここで、少なくとも１つのブリッジデバイスの識別子は中央デバイスによって最も最近に決定されたものである。
【０１５９】
任意選択では、中央デバイスが少なくとも１つのブリッジデバイスの識別子を決定することは、中央デバイスが複数の候補ブリッジデバイスの各ブリッジデバイスとウェアラブルデバイスの間の変換距離を、複数の候補ブリッジデバイスの取得された識別子及び複数の候補ブリッジデバイスによって別々に報告された伝送信号強度に従って別々に計算し、ウェアラブルデバイスからの変換距離が最短である少なくとも１つのブリッジデバイスの識別子を決定することを含み、ここで、複数の候補ブリッジデバイスによって別々に報告される伝送信号強度は、複数の候補ブリッジデバイスによって別々に受信され、ウェアラブルデバイスによって送信される第１の伝送信号の信号強度である。
【０１６０】
中央デバイスは、少なくとも１つのブリッジデバイスの識別子を、中央デバイスが通信イベントを察知する前、又は中央デバイスが通信イベントを察知した後に決定してもよく、本発明において限定されないことに留意すべきである。すなわち、中央デバイスは、少なくとも１つのブリッジデバイスの識別子を決定し、中央デバイスが通信イベントを察知した後に、中央デバイスは、少なくとも１つのブリッジデバイスの最も最近に決定された識別子を取得するか、或いは中央デバイスが通信イベントを察知した後に、中央デバイスは、少なくとも１つのブリッジデバイスの識別子を決定し、少なくとも１つのブリッジデバイスの識別子を取得する。
【０１６１】
任意選択では、中央デバイスは、複数の候補ブリッジデバイスの各ブリッジデバイスによって報告された伝送信号強度に従って、複数の候補ブリッジデバイスの各ブリッジデバイスとウェアラブルデバイスの間の変換距離を計算し、ここで、変換距離は計算式を使用することによって取得されてもよい。
【０１６２】
例えば、当該計算式は、信号自由空間減衰式であってもよいし、又は信号に従って距離が計算可能な別の式とであってもよい。一例として信号自由空間減衰式を使用すると、信号自由空間減衰式の一発現形態は、Ｐ＿ＲＸ＝Ｐ＿ＴＸ／ｄ＾ｎであり、ここで、Ｐ＿ＲＸは、単位がＷ／ｍＷ（ワット／ミリワット）である受信パワーを表し、Ｐ＿ＴＸは、単位がＷ／ｍＷである送信パワーを表し、ｄは、単位がｍ（メートル）である距離を表し、ｎは、値が２〜６であってもよい整数パラメータである。
【０１６３】
例証として、ウェアラブルデバイス１によって送信された第１のワイヤレスブロードキャスト信号のテレビによって報告される信号強度が５０ｄＢＭ（１ミリワットに対するデシベル値）であり、ウェアラブルデバイス１によって送信された第１のワイヤレスブロードキャスト信号の冷蔵庫によって報告される伝送信号強度が４０ｄＢＭであり、ウェアラブルデバイス１によって送信された第１のワイヤレスブロードキャスト信号の電子レンジによって報告される伝送信号強度が６０ｄＢＭである。ウェアラブルデバイス１はＢｌｕｅｔｏｏｔｈを使用することによって中央デバイス１とペアリングされ、テレビとウェアラブルデバイス１の間の変換距離、冷蔵庫とウェアラブルデバイス１の間の変換距離、及び電子レンジとウェアラブルデバイス１の間の変換距離は、伝送信号強度と距離の間の計算式を使用することによって計算され、次いで中央デバイス１は、ウェアラブルデバイス１と、テレビ、冷蔵庫及び電子レンジとの間の変換距離を別々に比較する。伝送信号強度は距離に反比例し、すなわち、より強い伝送信号強度は、より短い変換距離を示し、したがって、中央デバイスは、ウェアラブルデバイス１からの変換距離が最も短い電子レンジを決定する。
【０１６４】
（３）．中央デバイスが、ウェアラブルデバイスによって送信された第１の伝送信号の最も強い伝送信号強度を報告する少なくとも１つのブリッジデバイスの識別子を受信する。
【０１６５】
中央デバイスが通信イベントを察知した後に、中央デバイスは、ウェアラブルデバイスによって送信された第１の伝送信号（第１のワイヤレスブロードキャスト信号）の最も強い伝送信号強度を報告する少なくとも１つのブリッジデバイスの識別子を受信し、ここで、少なくとも１つのブリッジデバイスの識別子は、中央デバイスによって最も最近に決定されたものである。
【０１６６】
任意選択では、中央デバイスが少なくとも１つのブリッジデバイスの識別子を決定することは、中央デバイスが、複数の候補ブリッジデバイスの各ブリッジデバイスによって報告された取得された伝送信号強度を比較した後に、少なくとも１つの最も強い伝送信号強度に対応する少なくとも１つのブリッジデバイスの識別子を決定し、ここで、少なくとも１つのブリッジデバイスは、少なくとも１つの最も強い伝送信号強度を報告した少なくとも１つのブリッジデバイスの識別子に対応しており、少なくとも１つのブリッジデバイスは、それとウェアラブルデバイスとの間の伝送信号強度が最も強いブリッジデバイスである。
【０１６７】
例証として、ウェアラブルデバイス１によって送信された第１のワイヤレスブロードキャスト信号のテレビによって報告される信号強度が５０ｄＢＭであり、ウェアラブルデバイス１によって送信された第１のワイヤレスブロードキャスト信号の冷蔵庫によって報告される信号強度が４０ｄＢＭであり、ウェアラブルデバイス１によって送信された第１のワイヤレスブロードキャスト信号の電子レンジによって報告される信号強度が６０ｄＢＭである。ウェアラブルデバイス１は、Ｂｌｕｅｔｏｏｔｈを使用することによって中央デバイス１とペアリングされる。６０＞５０＞４０によって、中央デバイスは、それとウェアラブルデバイス１との間の伝送信号強度が最も強い電子レンジを決定する。
【０１６８】
中央デバイスは、少なくとも１つのブリッジデバイスの識別子を、中央デバイスが通信イベントを察知する前に、又は中央デバイスが通信イベントを察知した後に決定してもよく、本発明において限定されないことに留意すべきである。すなわち、中央デバイスは、少なくとも１つのブリッジデバイスの識別子を決定し、中央デバイスが通信イベントを察知した後に、中央デバイスは、少なくとも１つのブリッジデバイスの最も最近に決定された識別子を取得するか、或いは中央デバイスが通信イベントを察知した後に、中央デバイスは、少なくとも１つのブリッジデバイスの識別子を決定し、少なくとも１つのブリッジデバイスの識別子を取得する。
（４）．中央デバイスが、ウェアラブルデバイスからの実際距離が第１の所定の閾値未満である少なくとも１つのブリッジデバイスの識別子を取得する。
【０１６９】
中央デバイスが通信イベントを察知した後に、中央デバイスは、ウェアラブルデバイスからの実際距離が第１の所定の閾値未満である少なくとも１つのブリッジデバイスの識別子を取得し、ここで、少なくとも１つのブリッジデバイスの識別子は、中央デバイスによって最も最近に決定されたものである。
【０１７０】
任意選択では、中央デバイスは、ウェアラブルデバイスからの実際距離が第１の所定の閾値未満であって、画像を提示するか、又は画像と音声を提示する提示能力を有する少なくとも１つのブリッジデバイスの識別子を取得し、ここで、少なくとも１つのブリッジデバイスの識別子は、中央デバイスによって最も最近に決定されたものである。
【０１７１】
任意選択では、第１の所定の閾値は１０メートルであってもよく、第１の所定の閾値の値は実際の状況に従って設定されてもよく、本発明において限定されない。
【０１７２】
好ましくは、提示能力はメディア再生能力であってもよく、ここで、メディア再生能力は、画像を提示するか、又は画像と音声を提示する能力であり、またＴＴＳをサポートする能力を有してもよい。
【０１７３】
提示能力を有するブリッジデバイスは、情報を表示するだけでなく、音声によって情報を再生可能であり、このようなブリッジデバイスは、より良好な通信イベント通知能力を有しており、これによって、ユーザ体感を向上することができることが理解できる。
【０１７４】
任意選択では、中央デバイスが少なくとも１つのブリッジデバイスの識別子を決定することは、中央デバイスが、位置座標又は経度と緯度など、複数の候補ブリッジデバイスの各ブリッジデバイスの取得された位置情報及びウェアラブルデバイスの取得された位置情報に従って、複数の候補ブリッジデバイスの各ブリッジデバイスとウェアラブルデバイスの間の実際距離を別々に取得し、複数の候補ブリッジデバイスの各ブリッジデバイスとウェアラブルデバイスの間の実際距離を第１の所定の閾値と比較し、ウェアラブルデバイスからの実際距離が第１の所定の閾値未満であるｍ個のブリッジデバイスの識別子を決定し、ｍ個のブリッジデバイスの識別子から、画像を提示するか、又は画像と音声を提示し、ＴＴＳをサポートする能力を有する少なくとも１つのブリッジデバイスの識別子を選択することを含み、ここで、ｍ≧１である。
【０１７５】
任意選択では、中央デバイスは、ｍ個の候補ブリッジデバイスの識別子から、複数の候補ブリッジデバイスの提示能力に従って画像を提示するか、又は画像と音声を提示し、ＴＴＳをサポートする能力に対応する少なくとも１つのブリッジデバイスの識別子を別々に選択する。
【０１７６】
任意選択では、複数の候補ブリッジデバイスの中央デバイスによって取得される能力情報は、複数の候補ブリッジデバイスの提示能力を有し、ここで、提示能力は、ブリッジデバイスによって提示可能なメディア再生能力情報であり、メディア再生能力情報は、ビデオ、オーディオ及びＴＴＳをサポートすることを含む。
【０１７７】
スマートホームシステムにおいて、中央デバイスは、少なくとも１つのブリッジデバイスを使用することによって、通信イベントに対応する通知情報を提示してもよく、少なくとも１つのブリッジデバイスは、中央デバイスによって候補ブリッジデバイスから決定され、パラメータ情報が所定の条件を満たす少なくとも１つのブリッジデバイスであり、すなわち、中央デバイスは、候補ブリッジデバイスとウェアラブルデバイスとの間の実際距離が所定の条件を満たす少なくとも１つのブリッジデバイスを選択することが可能であり、したがって、スマートテレビによってユーザに通知する機能が地理的制約を受けるという問題と、ウェアラブルデバイスによってユーザに通知する機能が距離制約を受けるという問題とが解決可能であり、このため、通信イベント通知のリスクを低下させ、ユーザ体感を向上させることが理解できる。
（５）．中央デバイスが、ウェアラブルデバイスからの変換距離が第１の所定の閾値未満である少なくとも１つのブリッジデバイスの識別子を決定する。
【０１７８】
中央デバイスが通信イベントを察知した後に、中央デバイスは、ウェアラブルデバイスからの変換距離が第１の所定の閾値未満である少なくとも１つのブリッジデバイスの識別子を決定し、ここで、少なくとも１つのブリッジデバイスの識別子は、中央デバイスによって最も最近に決定されたものである。
【０１７９】
任意選択では、中央デバイスは、ウェアラブルデバイスからの変換距離が第１の所定の閾値未満であって、画像を提示するか、又は画像と音声を提示する提示能力を有する少なくとも１つのブリッジデバイスの識別子を決定し、ここで、少なくとも１つのブリッジデバイスの識別子は、中央デバイスによって最も最近に決定されたものである。
【０１８０】
任意選択では、第１の所定の閾値は１０メートルであってもよく、第１の所定の閾値の値は実際の状況に従って設定されてもよく、本発明において限定されない。
【０１８１】
好ましくは、第１のメディア提示能力はメディア再生能力であってもよく、ここで、メディア再生能力は、ビデオとオーディオを提示し、ＴＴＳ（Ｔｅｘｔ  Ｔｏ  Ｓｐｅｅｃｈ、テキスト音声合成）をサポートする能力、すなわち、音声によってテキストを再生する能力である。
【０１８２】
提示能力を有するブリッジデバイスは、情報を表示するだけでなく、音声によって情報を再生可能であり、このようなブリッジデバイスは、より良好な通信イベント通知能力を有しており、これによって、ユーザ体感を向上することができることが理解できる。
【０１８３】
任意選択では、中央デバイスが少なくとも１つのブリッジデバイスの識別子を決定することは、中央デバイスが複数の候補ブリッジデバイスの各ブリッジデバイスによって報告された取得された伝送信号強度に従って、複数の候補ブリッジデバイスの各ブリッジデバイスとウェアラブルデバイスの間の変換距離を計算し、複数の候補ブリッジデバイスの各ブリッジデバイスとウェアラブルデバイスの間の変換距離を第１の所定の閾値と比較し、ウェアラブルデバイスからの距離が第１の所定の閾値未満であるｎ個のブリッジデバイスの識別子を決定し、ｎ個のブリッジデバイスの識別子から、提示能力を有する少なくとも１つのブリッジデバイスの識別子を選択することを含み、ここで、ｎ≧１である。
【０１８４】
例証として、ウェアラブルデバイス１によって送信された第１のワイヤレスブロードキャスト信号のテレビによって報告される伝送信号強度が５０ｄＢＭであり、ウェアラブルデバイス１によって送信された第１のワイヤレスブロードキャスト信号の冷蔵庫によって報告される伝送信号強度が４０ｄＢＭであり、ウェアラブルデバイス１によって送信された第１のワイヤレスブロードキャスト信号の電子レンジによって報告される伝送信号強度が６０ｄＢＭである。ウェアラブルデバイス１は、Ｂｌｕｅｔｏｏｔｈを使用することによって中央デバイス１とペアリングされ、テレビとウェアラブルデバイス１の間の変換距離、冷蔵庫とウェアラブルデバイス１の間の変換距離、及び電子レンジとウェアラブルデバイス１の間の変換距離は、伝送信号強度と距離の間の計算式を使用することによって計算され、次いで中央デバイス１は、ウェアラブルデバイス１とテレビ、冷蔵庫及び電子レンジとの間の変換距離を第１の所定の閾値である１０メートルと別々に比較する。テレビとウェアラブルデバイス１の間の変換距離が９メートルであり、冷蔵庫とウェアラブルデバイス１の間の変換距離が１１メートルであり、電子レンジとウェアラブルデバイス１の間の変換距離が５メートルであると仮定する。５メートルは１０メートルより短く、９メートルは１０メートルより短く、１１メートルは１０メートルより長いため、中央デバイスは、ウェアラブルデバイス１からの変換距離が第１の所定の閾値未満であるテレビ及び電子レンジを決定し、さらに、テレビは画像と音声を提示可能であり、電子レンジは音声を提示可能であり、したがって、中央デバイスは、テレビと電子レンジから、テレビが画像と音声を提示する能力を有する少なくとも１つのブリッジデバイスであると決定する。
【０１８５】
中央デバイスは、少なくとも１つのブリッジデバイスの識別子を、中央デバイスが通信イベントを察知する前に、又は中央デバイスが通信イベントを察知した後に決定してもよく、本発明において限定されないことに留意すべきである。すなわち、中央デバイスは、少なくとも１つのブリッジデバイスの識別子を決定し、中央デバイスが通信イベントを察知した後に、中央デバイスは、少なくとも１つのブリッジデバイスの最も最近に決定された識別子を取得するか、或いは中央デバイスが通信イベントを察知した後に、中央デバイスは、少なくとも１つのブリッジデバイスの識別子を決定し、少なくとも１つのブリッジデバイスの識別子を取得する。
【０１８６】
スマートホームシステムにおいて、中央デバイスは、少なくとも１つのブリッジデバイスを使用することによって、通信イベントに対応する通知情報を提示してもよく、少なくとも１つのブリッジデバイスは、中央デバイスによって候補ブリッジデバイスから決定され、パラメータ情報が所定の条件を満たす少なくとも１つのブリッジデバイスであり、すなわち、中央デバイスは、候補ブリッジデバイスとウェアラブルデバイスとの間の変換距離が所定の条件を満たす少なくとも１つのブリッジデバイスを選択することが可能であり、したがって、スマートテレビによってユーザに通知する機能が地理的制約を受けるという問題と、ウェアラブルデバイスによってユーザに通知する機能が距離制約を受けるという問題とが解決可能であり、このため、通信イベント通知のリスクを低下させ、ユーザ体感を向上させることが理解できる。
（６）．中央デバイスが、ウェアラブルデバイスによって送信された第１の伝送信号の第２の所定の閾値より大きい伝送信号強度を報告する少なくとも１つのブリッジデバイスの識別子を決定する。
【０１８７】
中央デバイスが通信イベントを察知した後に、中央デバイスは、ウェアラブルデバイスによって送信された第１の伝送信号、すなわち、第１のワイヤレスブロードキャスト信号の第２の所定の閾値より大きい伝送信号強度を報告する少なくとも１つのブリッジデバイスの識別子を取得し、ここで、少なくとも１つのブリッジデバイスの識別子は、中央デバイスによって最も最近に決定されたものである。
【０１８８】
任意選択では、中央デバイスは、第１のワイヤレスブロードキャスト信号の第２の所定の閾値より大きい信号強度を報告し、画像を提示するか、又は画像と音声を提示する提示能力を有する少なくとも１つのブリッジデバイスの識別子を決定する。
【０１８９】
好ましくは、提示能力はメディア再生能力であってもよく、ここで、メディア再生能力は、ビデオとオーディオを提示する能力であり、さらにＴＴＳをサポートする能力を含むものであってもよい。
【０１９０】
提示能力を有するブリッジデバイスは、情報を表示するだけでなく、音声によって情報を再生可能であり、このようなブリッジデバイスは、より良好な通信イベント通知能力を有し、これによってユーザ体感を向上させることが理解できる。
【０１９１】
任意選択では、中央デバイスは、複数の候補ブリッジデバイスの各ブリッジデバイスによって報告された取得された各伝送信号強度を第２の所定の閾値と比較した後に、第２の所定の閾値より大きい伝送信号強度に対応するｋ個のブリッジデバイスの識別子を決定し、ｋ個のブリッジデバイスの識別子から、画像を提示するか、又は画像と音声を提示するか、又はＴＴＳをサポートする能力を有する少なくとも１つのブリッジデバイスの識別子を選択し、ここで、少なくとも１つのブリッジデバイスは、第２の所定の閾値より大きい伝送信号強度を報告し、上述の提示能力を有する少なくとも１つのブリッジデバイスの識別子に対応し、少なくとも１つのブリッジデバイスは、それとウェアラブルデバイスとの間の伝送信号強度が第２の所定の閾値より大きいブリッジデバイスであり、ここで、ｋ≧１である。
【０１９２】
任意選択では、第２の所定の閾値は４５ｄＢＭであってもよく、第２の所定の閾値の値は実際の状況に従って設定されてもよく、本発明において限定されない。
【０１９３】
任意選択では、中央デバイスは、ｋ個のブリッジデバイスの識別子から、複数の候補ブリッジデバイスの提示能力に従って、画像を提示するか、又は画像と音声を提示するか、又はＴＴＳをサポートする能力に対応する少なくとも１つのブリッジデバイスの識別子を別々に選択する。
【０１９４】
任意選択では、複数の候補ブリッジデバイスの中央デバイスによって取得される能力情報は、複数の候補ブリッジデバイスの提示能力を有し、ここで、メディア提示能力は、ブリッジデバイスによって提示可能なメディア再生能力情報であり、メディア再生能力情報は、ビデオ、オーディオ及びＴＴＳをサポートすることを含む。
【０１９５】
例証として、ウェアラブルデバイス１によって送信された第１のワイヤレスブロードキャスト信号のテレビによって報告される伝送信号強度が５０ｄＢＭであり、ウェアラブルデバイス１によって送信された第１のワイヤレスブロードキャスト信号の冷蔵庫によって報告される伝送信号強度が４０ｄＢＭであり、ウェアラブルデバイス１によって送信された第１のワイヤレスブロードキャスト信号の電子レンジによって報告される伝送信号強度が６０ｄＢＭである。中央デバイス１は、第１のワイヤレスブロードキャスト信号のテレビ、冷蔵庫及び電子レンジによって別々に報告される伝送信号強度を第２の所定の閾値である４５ｄＢＭと比較する。４０ｄＢＭは４５ｄＢＭより小さく、５０ｄＢＭは４５ｄＢＭより大きく、６０ｄＢＭは４５ｄＢＭより大きいため、中央デバイスは、第２の所定の閾値より大きい伝送信号強度に対応するテレビと電子レンジを決定し、さらにテレビはビデオとオーディオを提示可能であり、電子レンジはオーディオを提示可能であり、したがって、中央デバイスは、テレビ及び電子レンジから、テレビがより高い提示能力を有する少なくとも１つのブリッジデバイスであると決定する。
【０１９６】
特に、中央デバイスは、少なくとも１つのブリッジデバイスの識別子を、中央デバイスが通信イベントを察知する前に、又は中央デバイスが通信イベントを察知した後に決定してもよく、本発明において限定されない。すなわち、中央デバイスは、少なくとも１つのブリッジデバイスの識別子を決定し、中央デバイスが通信イベントを察知した後に、中央デバイスは、少なくとも１つのブリッジデバイスの最も最近に決定された識別子を取得するか、或いは中央デバイスが通信イベントを察知した後に、中央デバイスは、少なくとも１つのブリッジデバイスの識別子を決定し、少なくとも１つのブリッジデバイスの識別子を取得する。
（７）．中央デバイスが、所定の地理的範囲を充足する候補ブリッジデバイスの位置情報及びウェアラブルデバイスの位置情報を報告した少なくとも１つのブリッジデバイスの識別子を決定する。
【０１９７】
中央デバイスが通信イベントを察知した後に、中央デバイスは、所定の地理的範囲を充足する候補ブリッジデバイスの位置情報及びウェアラブルデバイスの位置情報を報告した少なくとも１つのブリッジデバイスの識別子を決定する。
【０１９８】
任意選択では、中央デバイスは、候補ブリッジデバイスの取得された位置情報及びウェアラブルデバイスの取得された位置情報に従って、候補ブリッジデバイス及びウェアラブルデバイスが同じ地理的範囲内にあるかどうか、すなわち、候補ブリッジデバイスの位置情報とウェアラブルデバイスの位置情報が所定の地理的範囲を充足するかどうか決定する。地理的範囲とは、家又はエリアを意味してもよく、実際の状況に従って設定されてもよく、本発明において限定されない。
【０１９９】
任意選択では、候補ブリッジデバイスの位置情報及びウェアラブルデバイスの位置情報は、候補ブリッジデバイスの位置座標及びウェアラブルデバイスの位置座標であってもよいし、又は候補ブリッジデバイスの経度及び緯度並びにウェアラブルデバイスの経度及び緯度であってもよし、又はさらに候補ブリッジデバイス及びウェアラブルデバイスの位置を表すことが可能な他の情報であってもよく、本発明において限定されない。
【０２００】
任意選択では、実際距離が第１の所定の条件を満たし、伝送信号強度が第２の所定の条件を満たし、提示能力が第４の所定の条件を満たすか、又は変換距離が第１の所定の条件を満たし、伝送信号強度が第２の所定の条件を満たし、提示能力が第４の所定の条件を満たすか、又は実際距離又は変換距離が第１の所定の条件を満たし、伝送信号強度が第２の所定の条件を満たし、提示能力が第４の所定の条件を満たすか、又は実際距離が第１の所定の条件を満たし、候補ブリッジデバイスの位置情報及びウェアラブルデバイスの位置情報が第３の所定の条件を満たし、提示能力が第４の所定の条件を満たすか、又は変換距離が第１の所定の条件を満たし、候補ブリッジデバイスの位置情報及びウェアラブルデバイスの位置情報が第３の所定の条件を満たし、提示能力が第４の所定の条件を満たすことが満足されたときに、上述の状況（１）、（２）、（３）、（４）、（５）、（６）及び（７）を参照して、すなわち、実際距離又は変換距離が第１の所定の条件を満たすこと、候補ブリッジデバイスの位置情報及びウェアラブルデバイスの位置情報が第３の所定の条件を満たすこと、伝送信号強度が第２の所定の条件を満たすこと、のうちの少なくとも１つが満たされ、提示能力が第４の所定の条件を満たすとき、中央デバイスは、少なくとも１つの対応するブリッジデバイスの識別子を決定する。この決定方式は、上述のプロセスと同じであり、ここでは詳細に記載していない。
【０２０１】
Ｓ４１１．中央デバイスが、通信イベントに従って、通信イベントに対応する通知情報を取得する。
【０２０２】
中央デバイスが通信イベントを察知した後に、中央デバイスは、通信イベントに従って通信イベントに対応する通知情報を取得する。
【０２０３】
任意選択では、中央デバイスは、少なくとも１つのブリッジデバイスの各ブリッジデバイスの識別子及び通信イベントに従って、通信イベント及び少なくとも１つのブリッジデバイスの各ブリッジデバイスに対応する通知情報を別々に取得する。
【０２０４】
任意選択では、中央デバイスは、少なくとも１つのブリッジデバイスの各ブリッジデバイスの識別子に従って、少なくとも１つのブリッジデバイスの各ブリッジデバイスの識別子にそれぞれ対応する少なくとも１つのブリッジデバイスの各ブリッジデバイスの提示能力を検索し、中央デバイスは、少なくとも１つのブリッジデバイスの各ブリッジデバイスの提示能力及び通信イベントに従って、通信イベント及び少なくとも１つのブリッジデバイスの各ブリッジデバイスに対応する通知情報を取得する。
【０２０５】
例証として、中央デバイスが携帯電話であり、携帯電話がショートメッセージを受信し、少なくとも１つのブリッジデバイスの識別子がテレビと冷蔵庫であり、テレビの提示能力がビデオとオーディオであり、冷蔵庫の提示能力がオーディオであると仮定する。したがって、携帯電話は、ショートメッセージ及びテレビの提示能力に従ってショートメッセージの着信音を取得し、携帯電話は、ショートメッセージ及び冷蔵庫の提示能力に従ってショートメッセージの着信音と到来するショートメッセージの番号を取得し、ここで、冷蔵庫がさらにＴＴＳ技術もサポートする場合、中央デバイスは、冷蔵庫の提示能力に従って、ショートメッセージの着信音、到来するショートメッセージの番号及びショートメッセージコンテンツを取得する。
【０２０６】
特に、中央デバイスが、通信イベントに従って通信イベントに対応する通知情報を収集するとき、通知情報はさらに、少なくとも１つのブリッジデバイスの各ブリッジデバイスの提示能力に対応しない通知情報であってもよく、すなわち、中央デバイスは、通信イベントに従って、通信イベントに対応する通知情報を取得する。
【０２０７】
例証として、中央デバイスが携帯電話であり、携帯電話はショートメッセージを受信し、少なくとも１つのブリッジデバイスの識別子がテレビ及び冷蔵庫であり、携帯電話がショートメッセージに従って、ショートメッセージの着信音、到来するショートメッセージの番号及びショートメッセージコンテンツを取得すると仮定する。
【０２０８】
Ｓ４１２．中央デバイスが、通知情報を少なくとも１つのブリッジデバイスに送信する。
【０２０９】
中央デバイスが通信イベントに従って、通信イベントに対応する通知情報を取得し、中央デバイスが複数の候補ブリッジデバイスのパラメータ情報に従って少なくとも１つのブリッジデバイスの識別子を決定した後に、中央デバイスは、少なくとも１つのブリッジデバイスの識別子に従って、通信イベントに対応する通知情報を少なくとも１つのブリッジデバイスに送信する。
【０２１０】
中央デバイスは、少なくとも１つのブリッジデバイスに同じ通知情報を送信してもよいし、又は少なくとも１つのブリッジデバイスの提示能力にそれぞれ対応する通知情報を少なくとも１つのブリッジデバイスに送信してもよく、ここで、実装方式は実際の状況に従って設定されてもよく、本発明において限定されないことに留意すべきである。
【０２１１】
Ｓ４１３．少なくとも１つのブリッジデバイスが、ブリッジデバイスの提示能力に従って通知情報を提示する。
【０２１２】
中央デバイスが通知情報を少なくとも１つのブリッジデバイスに送信した後に、少なくとも１つのブリッジデバイスは、ブリッジデバイスの提示能力に従って通知情報を提示する。
【０２１３】
少なくとも１つのブリッジデバイスによって提示される通知情報の一形態は、少なくとも１つのブリッジデバイスの提示能力に対応していることに留意すべきである。したがって、少なくとも１つのブリッジデバイスが通知情報を収集した後に、少なくとも１つのブリッジデバイスは、通知情報において少なくとも１つのブリッジデバイスの提示能力に対応する情報を提示する。本発明は、少なくとも１つのブリッジデバイスの提示方式に対して限定を設けない。
【０２１４】
例証として、中央デバイスが携帯電話であり、携帯電話がショートメッセージの着信音、到来するショートメッセージの番号、及びショートメッセージコンテンツを、ショートメッセージ及びテレビの提示能力に従って取得し、携帯電話がショートメッセージ及び冷蔵庫の提示能力に従ってショートメッセージの着信音を収集する場合に、テレビは、ショートメッセージの着信音、到来するショートメッセージの番号及びショートメッセージコンテンツを表示してブロードキャストし、冷蔵庫は、ショートメッセージの着信音を再生する。携帯電話がショートメッセージの着信音、到来するショートメッセージの番号及びショートメッセージコンテンツをショートメッセージに従って取得する場合に、テレビは、ショートメッセージの着信音、到来するショートメッセージの番号及びショートメッセージコンテンツをテレビの提示能力に従って表示してブロードキャストし、テレビは、テレビの提示能力に従ってショートメッセージの着信音を再生する。
【０２１５】
任意選択では、本発明のこの実施形態で提供される通信イベント通知方法は、この実施形態で例証した上述の実装プロセスにだけ限定されるものではない。
【０２１６】
ウェアラブルデバイスの位置を特定し、ウェアラブルデバイスの比較的近くにあるブリッジデバイス上に通知情報を提示することによって通信イベント通知を完成させるための方法はさらに、以下のことを含み得ることに留意すべきである。
【０２１７】
位置決めデバイスは、家の構造図に対してモデル化を実行するか、又はユーザは、磁場又は慣性センサなどの技術を使用することによって、家の電子マップを描く位置決めデバイスを携え、すべてのブリッジデバイスの位置座標又は経度と緯度が電子マップ上にマーク付けされる。さらに、ウェアラブルデバイスは、ウェアラブルデバイス上のセンサデバイスを使用することによって、ユーザの位置座標又は経度と緯度、すなわち、ウェアラブルデバイスの位置座標又は経度と緯度を検出し、ウェアラブルデバイスの位置座標又は経度と緯度を位置決めデバイスに送信する。位置決めデバイスは、ウェアラブルデバイスの位置座標又は経度と緯度及びブリッジデバイスの位置座標又は経度と緯度を中央デバイスに送信し、中央デバイスは、ウェアラブルデバイスの位置座標又は経度と緯度及びブリッジデバイスの位置座標又は経度と緯度に従って、少なくとも１つのブリッジデバイスを決定する。中央デバイスが通信イベントを察知したとき、中央デバイスは、通信イベントに従って取得された通知情報を少なくとも１つのブリッジデバイスに送信し、最終的に、少なくとも１つのブリッジデバイスは、通知情報を提示する。
【０２１８】
位置決めデバイス及び中央デバイスはまた、同じデバイスであってもよいことに留意すべきである。
【０２１９】
任意選択では、位置決めデバイスは、ルータ、携帯電話又はタブレットなどの電子デバイスであってもよいし、又は電子デバイス上の位置決めモジュールであってもよい。
【０２２０】
本発明のこの実施形態では、中央デバイス、ウェアラブルデバイス及びブリッジデバイスのすべてが、スイッチオン又は電源オンの状態にあることに留意すべきである。
【０２２１】
本発明のこの実施形態で提供される通信イベント通知方法によれば、中央デバイスは、通信イベントを察知し、中央デバイスは、候補ブリッジデバイスのパラメータ情報に従って、少なくとも１つのブリッジデバイスの識別子を決定し、ここで、少なくとも１つのブリッジデバイスのパラメータ情報は、所定の条件を満たし、候補ブリッジデバイスのパラメータ情報は、候補ブリッジデバイスとウェアラブルデバイスとの間の実際距離、候補ブリッジデバイスとウェアラブルデバイスとの間の変換距離、候補ブリッジデバイスとウェアラブルデバイスとの間の伝送信号強度、及び候補ブリッジデバイスの位置情報とウェアラブルデバイスの位置情報、のうちの少なくとも１つを含み、最終的に、中央デバイスは、少なくとも１つのブリッジデバイスの識別子に従って、通信イベントに対応する通知情報を少なくとも１つのブリッジデバイスに送信し、少なくとも１つのブリッジデバイスは通知情報を提示する。この解決策によって、中央デバイスは、少なくとも１つのブリッジデバイスを使用することによって、通信イベントに対応する通知情報を提示することが可能であり、少なくとも１つのブリッジデバイスは、パラメータ情報が所定の条件を満たすブリッジデバイスであり、すなわち、中央デバイスは、ウェアラブルデバイスからの距離又は報告される伝送信号強度が特定の条件を満たす少なくとも１つのブリッジデバイスを選択し、通知情報の提示を保証することが可能であり、したがって、通知情報は所定の条件に従って柔軟に提示可能である。
実施形態３
【０２２２】
図６に示したように、本発明のこの実施形態は、中央デバイス側の通信イベント通知方法に対応する中央デバイス１を提供する。中央デバイス１は、察知ユニット１０、決定ユニット１１及び送信ユニット１２を含むものであってもよい。
【０２２３】
察知ユニット１０は、通信イベントを察知するように構成されている。
【０２２４】
決定ユニット１１は、候補ブリッジデバイスのパラメータ情報に従って少なくとも１つのブリッジデバイスの識別子を決定するように構成され、ここで、少なくとも１つのブリッジデバイスのパラメータ情報は所定の条件を満たし、候補ブリッジデバイスのパラメータ情報は、
候補ブリッジデバイスとウェアラブルデバイスとの間の実際距離と、
候補ブリッジデバイスとウェアラブルデバイスとの間の変換距離と、
候補ブリッジデバイスとウェアラブルデバイスとの間の伝送信号強度、及び候補ブリッジデバイスの位置情報とウェアラブルデバイスの位置情報と、
のうちの少なくとも１つを含む。
【０２２５】
送信ユニット１２は、決定ユニット１１によって決定され、少なくとも１つのブリッジデバイスのものである識別子に従って、察知ユニット１０によって察知された通信イベントに対応する通知情報を少なくとも１つのブリッジデバイスに送信し、これにより、少なくとも１つのブリッジデバイスは通知情報を提示する。
【０２２６】
任意選択では、パラメータ情報は、実際距離及び変換距離のうちの少なくとも１つであり、所定の条件は第１の所定の条件を有し、ここで、第１の所定の条件は、当該距離が最短であるか、又は当該距離が第１の所定の閾値未満であるか、又は
パラメータ情報は伝送信号強度であり、所定の条件は第２の所定の条件を有し、ここで、第２の所定の条件は、当該信号強度が最も強いか、又は当該信号強度が第２の所定の閾値より大きいか、又は
パラメータ情報は候補ブリッジデバイスの位置情報及びウェアラブルデバイスの位置情報であり、所定の条件は第３の所定の条件を有し、ここで、第３の所定の条件は、所定の地理的範囲が充足されることである。
【０２２７】
任意選択では、図７に示したように、中央デバイス１は、取得ユニット１３及び計算ユニット１４をさらに含む。
【０２２８】
実際距離は、取得ユニット１３が候補ブリッジデバイスによって報告された候補ブリッジデバイスの位置情報及びウェアラブルデバイスの位置情報を収集した後に、取得ユニット１３によって取得された候補ブリッジデバイスの位置情報及びウェアラブルデバイスの位置情報に従って決定ユニット１１によって決定される。
【０２２９】
伝送信号強度は、候補ブリッジデバイスによって報告され、取得ユニット１３によって収集された情報に従って決定ユニット１１によって決定される。
【０２３０】
変換距離は、決定ユニット１１によって決定された伝送信号強度に従った計算を通じて計算ユニット１４によって取得される。
【０２３１】
任意選択では、パラメータ情報が提示能力をさらに含み、所定の条件は更に第４の所定の条件を有し、ここで、第４の所定の条件は、画像が提示されるか、又は画像と音声が提示されることである。
【０２３２】
決定ユニット１１によって決定される実際距離が第１の所定の条件を満たし、提示能力が第４の所定の条件を満たすか、又は
計算ユニット１４によって計算される変換距離が第１の所定の条件を満たし、提示能力が第４の所定の条件を満たすか、又は
決定ユニット１１によって決定される伝送信号強度が第２の所定の条件を満たし、提示能力が第４の所定の条件を満たすか、又は
取得ユニット１３によって取得される候補ブリッジデバイスの位置情報及びウェアラブルデバイスの位置情報が第３の所定の条件を満たし、提示能力が第４の所定の条件を満たすか、又は
実際距離が第１の所定の条件を満たし、伝送信号強度が第２の所定の条件を満たし、提示能力が第４の所定の条件を満たすか、又は
変換距離が第１の所定の条件を満たし、伝送信号強度が第２の所定の条件を満たし、提示能力が第４の所定の条件を満たすか、又は
実際距離が第１の所定の条件を満たし、候補ブリッジデバイスの位置情報及びウェアラブルデバイスの位置情報が第３の所定の条件を満たし、提示能力が第４の所定の条件を満たすか、又は
変換距離が第１の所定の条件を満たし、候補ブリッジデバイスの位置情報及びウェアラブルデバイスの位置情報が第３の所定の条件を満たし、提示能力が第４の所定の条件を満たす。
【０２３３】
任意選択では、送信ユニット１２は、決定ユニット１１が少なくとも１つのブリッジデバイスの識別子を決定する前に、リクエストメッセージを候補ブリッジデバイスに個別に送信するよう構成され、ここで、リクエストメッセージは、情報報告サービスを個別に提供するように候補ブリッジデバイスに要求するために使用され、当該情報報告サービスは、位置情報報告サービス、伝送信号強度報告サービス、又は位置情報報告サービスと伝送信号強度報告サービスであり、
ここで、情報報告サービスが位置情報報告サービスであり、パラメータ情報は、候補ブリッジデバイスとウェアラブルデバイスとの間の実際距離、及び候補ブリッジデバイスの位置情報とウェアラブルデバイスの位置情報、のうちの少なくとも１つを含むか、又は
情報報告サービスが伝送信号強度報告サービスであり、パラメータ情報は、候補ブリッジデバイスとウェアラブルデバイスとの間の変換距離及び候補ブリッジデバイスとウェアラブルデバイスとの間の伝送信号強度のうちの少なくとも１つを含むか、又は
情報報告サービスが位置情報報告サービス及び伝送信号強度報告サービスであり、パラメータ情報は、候補ブリッジデバイスとウェアラブルデバイスとの間の実際距離、候補ブリッジデバイスの位置情報とウェアラブルデバイスの位置情報、並びに候補ブリッジデバイスとウェアラブルデバイスとの間の変換距離及び候補ブリッジデバイスとウェアラブルデバイスとの間の伝送信号強度のうちの少なくとも１つ、を含む。
【０２３４】
任意選択では、中央デバイスは、ユーザ装置、候補ブリッジデバイス又はウェアラブルデバイスである。
【０２３５】
ユーザ装置は、スマートフォン、コンピュータ又はタブレットコンピュータなどの電子デバイスであってもよく、中央デバイスは、通信イベントを察知可能なデバイスであってもよいことに留意すべきである。
【０２３６】
本発明のこの実施形態で提供される中央デバイスによれば、中央デバイスは、通信イベントを察知し、中央デバイスは、候補ブリッジデバイスのパラメータ情報に従って少なくとも１つのブリッジデバイスの識別子を決定し、ここで、少なくとも１つのブリッジデバイスのパラメータ情報は所定の条件を満たし、候補ブリッジデバイスのパラメータ情報は、候補ブリッジデバイスとウェアラブルデバイスとの間の実際距離、候補ブリッジデバイスとウェアラブルデバイスとの間の変換距離、候補ブリッジデバイスとウェアラブルデバイスとの間の伝送信号強度、及び候補ブリッジデバイスの位置情報とウェアラブルデバイスの位置情報、のうちの少なくとも１つを含み、最終的に、中央デバイスは、少なくとも１つのブリッジデバイスの識別子に従って、通信イベントに対応する通知情報を少なくとも１つのブリッジデバイスに送信し、少なくとも１つのブリッジデバイスが通知情報を提示する。この解決策によると、中央デバイスは、少なくとも１つのブリッジデバイスを使用することによって、通信イベントに対応する通知情報を提示することが可能であり、少なくとも１つのブリッジデバイスは、パラメータ情報が所定の条件を満たすブリッジデバイスであり、すなわち、中央デバイスは、ウェアラブルデバイスからの距離又は報告された伝送信号強度が特定の条件を満たす少なくとも１つのブリッジデバイスを選択し、通知情報の提示を保証することが可能であり、したがって、通知情報は所定の条件に従って柔軟に提示可能である。
【０２３７】
図８に示したように、本発明のこの実施形態は、ブリッジデバイス側における通信イベント通知方法に対応するブリッジデバイス２を提供する。ブリッジデバイス２は、受信ユニット２０、決定ユニット２１及び送信ユニット２２を含むものであってもよい。
【０２３８】
受信ユニット２０は、ウェアラブルデバイスによって送信された伝送信号を受信するように構成されている。
【０２３９】
決定ユニット２１は、受信ユニット２０によって受信された伝送信号に従ってブリッジデバイスのリファレンス情報を決定するように構成され、ここでブリッジデバイスのリファレンス情報は、
ブリッジデバイスの位置情報とウェアラブルデバイスの位置情報を含むか、又は
伝送信号の伝送信号強度を含むか、又は
ブリッジデバイスの位置情報、ウェアラブルデバイスの位置情報及び伝送信号強度を含む。
【０２４０】
送信ユニット２２は、決定ユニット２１によって決定されたリファレンス情報を中央デバイスに報告し、これにより、中央デバイスは、すべての候補ブリッジデバイスによって報告されたリファレンス情報に従って対応するパラメータ情報を決定し、パラメータ情報に従って少なくとも１つのブリッジデバイスの識別子を決定し、少なくとも１つのブリッジデバイスの識別子に従って、通信イベントに対応する通知情報を少なくとも１つのブリッジデバイスに送信し、ここで、少なくとも１つのブリッジデバイスのパラメータ情報は所定の条件を満たす。
【０２４１】
任意選択では、図９に示したように、ブリッジデバイス２は提示ユニット２３をさらに含む。
【０２４２】
受信ユニット２０は、送信ユニット２２がウェアラブルデバイスに対応する中央デバイスにリファレンス情報を報告した後に、中央デバイスによって送信された通知情報を受信するようにさらに構成されている。
【０２４３】
提示ユニット２３は、ブリッジデバイスの提示能力に従って、受信ユニット２０によって受信された通知情報を提示するように構成されている。
【０２４４】
任意選択では、ブリッジデバイスのリファレンス情報は、
ブリッジデバイスの位置情報、ウェアラブルデバイスの位置情報及びブリッジデバイスの提示能力を含むか、又は
伝送信号の伝送信号強度及びブリッジデバイスの提示能力を含むか、又は
ブリッジデバイスの位置情報、ウェアラブルデバイスの位置情報、伝送信号強度及びブリッジデバイスの提示能力を含む。
【０２４５】
任意選択では、受信ユニット２０は、ウェアラブルデバイスによって送信された伝送信号を受信する前に、中央デバイスにより送信されたリクエストメッセージを受信するよう更に構成され、ここで、リクエストメッセージは、情報報告サービスを提供するようにブリッジデバイスに要求するために使用され、当該情報報告サービスは、位置情報報告サービス、伝送信号強度報告サービス、又は位置情報報告サービスと伝送信号強度報告サービスであり、
ここで、情報報告サービスは位置情報報告サービスであり、パラメータ情報は、候補ブリッジデバイスとウェアラブルデバイスとの間の実際距離、及び候補ブリッジデバイスの位置情報とウェアラブルデバイスの位置情報、のうちの少なくとも１つを含むか、又は
情報報告サービスは伝送信号強度報告サービスであり、パラメータ情報は、候補ブリッジデバイスとウェアラブルデバイスとの間の変換距離、及び候補ブリッジデバイスとウェアラブルデバイスとの間の伝送信号強度のうちの少なくとも１つを含むか、又は
情報報告サービスは位置情報報告サービス及び伝送信号強度報告サービスであり、パラメータ情報は、候補ブリッジデバイスとウェアラブルデバイスとの間の実際距離、候補ブリッジデバイスの位置情報とウェアラブルデバイスの位置情報、並びに候補ブリッジデバイスとウェアラブルデバイスとの間の変換距離及び候補ブリッジデバイスとウェアラブルデバイスとの間の伝送信号強度のうちの少なくとも１つ、を含む。
【０２４６】
ブリッジデバイスは、例えば、携帯電話、モバイル電源、タブレットコンピュータ、携帯情報端末、コンピュータ、メディアプレーヤ、スマートテレビ、サウンドボックス、スマート冷蔵庫、エアコン、湯沸器、電子レンジ及びトレッドミルなど、スマート家電及び電子デバイス）を含むものであってもよいことに留意すべきである。本発明のこの実施形態におけるブリッジデバイスは、伝送信号の送信及び／又は受信可能なスマートデバイスであってもよい。
【０２４７】
本発明のこの実施形態で提供されるブリッジデバイスによれば、ブリッジデバイスは、ウェアラブルデバイスによって送信された伝送信号を受信し、ブリッジデバイスは、伝送信号に従ってブリッジデバイスのリファレンス情報を決定し、ここで、ブリッジデバイスのリファレンス情報は、ブリッジデバイスの位置情報とウェアラブルデバイスの位置情報を含むか、又は伝送信号の伝送信号強度を含むか、又はブリッジデバイスの位置情報、ウェアラブルデバイスの位置情報及び伝送信号強度を含み、ブリッジデバイスは、中央デバイスにリファレンス情報を報告し、これにより、中央デバイスは、すべての候補ブリッジデバイスによって報告されたリファレンス情報に従って対応するパラメータ情報を決定し、パラメータ情報に従って少なくとも１つのブリッジデバイスの識別子を決定し、少なくとも１つのブリッジデバイスの識別子に従って、通信イベントに対応する通知情報を少なくとも１つのブリッジデバイスに送信し、ここで、少なくとも１つのブリッジデバイスのパラメータ情報は所定の条件を満たす。この解決策によると、中央デバイスは、少なくとも１つのブリッジデバイスを使用することによって、通信イベントに対応する通知情報を提示することが可能であり、少なくとも１つのブリッジデバイスのパラメータ情報は所定の条件を満たし、すなわち、中央デバイスは、ウェアラブルデバイスからの距離又は報告された伝送信号強度が特定の条件を満たす少なくとも１つのブリッジデバイスを選択し、通知情報の提示を保証し、したがって、通知情報は所定の条件に従って柔軟に提示可能である。
【０２４８】
図１０に示したように、本発明のこの実施形態は、ウェアラブルデバイス側における通信イベント通知方法に対応するウェアラブルデバイス３を提供する。ウェアラブルデバイス３は、送信ユニット３０を含むものであってもよい。
【０２４９】
送信ユニット３０は、第１の伝送信号を複数の候補ブリッジデバイスに送信するよう構成され、これにより、第１の伝送信号に従って複数のリファレンス情報を別々に取得した後に、複数の候補ブリッジデバイスは、複数のリファレンス情報を中央デバイスに送信し、中央デバイスは、複数のリファレンス情報に従って複数のパラメータ情報を決定し、複数の候補ブリッジデバイスから、パラメータ情報が所定の条件を満たす少なくとも１つのブリッジデバイスの識別子を決定し、少なくとも１つのブリッジデバイスの識別子に従って、通信イベントに対応する通知情報を少なくとも１つのブリッジデバイスに送信し、少なくとも１つのブリッジデバイスは通知情報を提示し、ここで、通知情報は、通信イベントが察知された後に通信イベントに従って取得された情報であり、中央デバイスはウェアラブルデバイスに対応する。
【０２５０】
任意選択では、図１１に示したように、ウェアラブルデバイス３は受信ユニット３１をさらに含む。
【０２５１】
受信ユニット３１は、送信ユニット３０が第１の伝送信号を複数の候補ブリッジデバイスに送信する前に、複数の候補ブリッジデバイスによって個別に送信された第２の伝送信号を受信するように構成されている。
【０２５２】
送信ユニット３０は、受信ユニット３１によって受信された第２の伝送信号に従って第１の伝送信号を複数の候補ブリッジデバイスに送信するようにさらに構成され、ここで、ウェアラブルデバイスの識別子は第１の伝送信号で伝達され、第１の伝送信号を送信するようにウェアラブルデバイスに要求するためのメッセージは第２の伝送信号で伝達される。
【０２５３】
任意選択では、送信ユニット３０によって送信される第１の伝送信号は、第１のＢｌｕｅｔｏｏｔｈブロードキャスト信号である。
【０２５４】
受信ユニット３１によって受信される第２の伝送信号は、第２のＢｌｕｅｔｏｏｔｈブロードキャスト信号である。
【０２５５】
任意選択では、複数の候補ブリッジデバイスは、信号強度報告サービスを有するブリッジデバイスであり、複数の候補ブリッジデバイス及び中央デバイスは、同じネットワークに属する。
【０２５６】
ウェアラブルデバイスは、メガネ、手袋、時計、宝飾品、衣服、又は靴などのスマートウェアラブルデバイスであることに留意すべきである。現在のウェアラブルデバイスは、スマートウォッチ、スマートバンド、頭部装着ディスプレイ、スマートシューズ、電子ドラムマシン、Ｔシャツ、等を含む。本発明のこの実施形態におけるウェアラブルデバイスは、ユーザにより持ち運び可能であって、伝送信号を送信可能なスマートデバイスであってもよい。
【０２５７】
本発明のこの実施形態で提供されるウェアラブルデバイスによれば、ウェアラブルデバイスは、複数の候補ブリッジデバイスに第１の伝送信号を送信し、これにより、第１の伝送信号に従って複数のリファレンス情報を別々に取得した後に、複数の候補ブリッジデバイスは、複数のリファレンス情報を中央デバイスに送信し、中央デバイスは、複数のリファレンス情報に従って複数のパラメータ情報を決定し、複数の候補ブリッジデバイスから、パラメータ情報が所定の条件を満たす少なくとも１つのブリッジデバイスの識別子を決定し、少なくとも１つのブリッジデバイスの識別子に従って、通信イベントに対応する通知情報を少なくとも１つのブリッジデバイスに送信し、少なくとも１つのブリッジデバイスは通知情報を提示し、ここで、通知情報は、通信イベントが察知された後に通信イベントに従って取得された情報であり、中央デバイスはウェアラブルデバイスに対応する。この解決策によると、中央デバイスは、少なくとも１つのブリッジデバイスを使用することによって、通信イベントに対応する通知情報を提示することが可能であり、少なくとも１つのブリッジデバイスは、パラメータ情報が所定の条件を満たすブリッジデバイスであり、すなわち、中央デバイスは、ウェアラブルデバイスからの距離又は報告された伝送信号強度が特定の条件を満たす少なくとも１つのブリッジデバイスを選択し、通知情報の提示を保証し、したがって、通知情報は所定の条件に従って柔軟に提示可能である。
実施形態４
【０２５８】
図１２に示したように、本発明のこの実施形態は、中央デバイス側における通信イベント通知方法に対応する中央デバイスを提供する。中央デバイスは、受信機１５、プロセッサ１６、受信機１７及びメモリ１８を含むものであってもよく、受信機１５、送信機１７及びメモリ１８のすべてはプロセッサ１６に接続され、例えば、受信機１５、送信機１７及びメモリ１８のすべては、バスを使用することによってプロセッサ１６に接続されてもよい。
【０２５９】
受信機１５及び送信機１７は、送受信機を成すように一体に統合されてもよい。
【０２６０】
プロセッサ１６は、本発明のこの実施形態を実現するように構成された中央処理ユニット、又は特定用途向け集積回路、又は１つ若しくは複数の集積回路であってもよい。
【０２６１】
プロセッサ１６は、中央デバイスに対する制御センタであり、プロセッサ１６は、様々なインターフェース及びラインを使用することによって中央デバイス全体のすべての部分に接続され、ユーザ装置の様々な機能を実現するか、又はメモリ１８内に記憶されたソフトウェアプログラム及び／又はモジュールを実施又は実行し、メモリ１８内に記憶されたデータを呼び出すことによってデータを処理する。プロセッサ１６は、集積回路（Ｉｎｔｅｇｒａｔｅｄ  Ｃｉｒｃｕｉｔ、集積回路）によって形成されてもよく、例えば、プロセッサ１６は、単一パッケージＩＣによって形成されてもよいし、又は同じ機能又は異なる機能を有する複数パッケージＩＣを接続することによって形成されてもよい。任意選択では、プロセッサ１６は、中央処理ユニットのみを含むものであってもよいし、又はＧＰＵ（Ｇｒａｐｈｉｃ  Ｐｒｏｃｅｓｓｉｎｇ  Ｕｎｉｔ、グラフィック処理ユニット）、ＤＳＰ（Ｄｉｇｉｔａｌ  Ｓｉｇｎａｌ  Ｐｒｏｃｅｓｓｏｒ、デジタル信号プロセッサ）、及び制御チップ（例えば、ベースバンドチップ）の組み合わせであってもよい。本発明のこの実施形態では、中央処理ユニットは、単一計算コアであってもよいし、又はマルチ計算コアであってもよい。
【０２６２】
メモリ１８は、ソフトウェアプログラム及びモジュールを記憶するように構成されてもよく、プロセッサ１６は、メモリ１８に記憶されたソフトウェアプログラム及びモジュールを実行することによって、電子デバイスの様々な機能アプリケーションを実行し、データ処理を実現している。メモリ１８は主に、プログラム記憶エリアとデータ記憶エリアとを含む。プログラム記憶エリアは、オペレーティングシステム、少なくとも１つの機能によって要求される音声再生プログラム又は画像再生プログラムなどのアプリケーションプログラムを記憶してもよく、データ記憶エリアは、電子デバイス、等の使用に従って作成されるデータ（オーディオデータ又は電話帳など）を記憶してもよい。本発明の具体的な実現方式において、メモリ１８は、揮発性メモリ、例えば、不揮発性ランダムアクセスメモリ（Ｎｏｎｖｏｌａｔｉｌｅ  Ｒａｎｄｏｍ  Ａｃｃｅｓｓ  Ｍｅｍｏｒｙ、略してＮＶＲＡＭ）、相変化ランダムアクセスメモリ（Ｐｈａｓｅ  Ｃｈａｎｇｅ  ＲＡＭ、略してＰＲＡＭ）、磁気抵抗ランダムアクセスメモリ（Ｍａｇｅｔｏｒｅｓｉｓｔｉｖｅ  ＲＡＭ、略してＭＲＡＭ）、等を含むものであってもよく、不揮発性メモリ（ｎｏｎ−ｖｏｌａｔｉｌｅ  ｍｅｍｏｒｙ）、例えば、少なくとも１つの磁気ディスク記憶デバイス、電気的消去可能プログラマブル読出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、及びＮＯＲフラッシュメモリ（ＮＯＲ  ｆｌａｓｈ  ｍｅｍｏｒｙ）又はＮＡＮＤフラッシュメモリ（ＮＡＮＤ  ｆｌａｓｈ  ｍｅｍｏｒｙ）などのフラッシュメモリをさらに含んでもよい。不揮発性メモリは、プロセッサ１６によって実行されるオペレーティングシステム及びアプリケーションプログラムを記憶する。プロセッサ１６は、不揮発性メモリから、実行プログラム及びデータをメモリにロードし、デジタルコンテンツを多数の記憶装置に記憶する。オペレーティングシステムは、メモリ管理、記憶デバイス制御及び電力管理などの通常のシステムタスクを制御及び管理し、様々なソフトウェアとハードウェアの間の通信を実現にするように構成された様々なコンポーネント及び／又はドライバを含む。本発明のこの実施形態では、オペレーティングシステムは、ＧｏｏｇｌｅのＡｎｄｒｏｉｄシステム、Ａｐｐｌｅにより開発されたｉＯＳシステム、Ｍｉｃｒｏｓｏｆｔにより開発されたＷｉｎｄｏｗｓオペレーティングシステム、等であってもよいし、又はＶｘｗｏｒｋｓなどの埋込み型のオペレーティングシステムであってもよい。
【０２６３】
受信機１５は、通信イベントを察知するように構成され、プロセッサ１６は、候補ブリッジデバイスのパラメータ情報に従って少なくとも１つのブリッジデバイスの識別子を決定するように構成され、ここで、少なくとも１つのブリッジデバイスのパラメータ情報は所定の条件を満たし、候補ブリッジデバイスのパラメータ情報は、候補ブリッジデバイスとウェアラブルデバイスとの間の実際距離、候補ブリッジデバイスとウェアラブルデバイスとの間の変換距離、候補ブリッジデバイスとウェアラブルデバイスとの間の伝送信号強度、及び候補ブリッジデバイスの位置情報とウェアラブルデバイスの位置情報、のうちの少なくとも１つを含み、送信機１７は、プロセッサ１６によって決定され、少なくとも１つのブリッジデバイスのものである識別子に従って、受信機１５によって察知された通信イベントに対応する通知情報を少なくとも１つのブリッジデバイスに送信し、これにより、少なくとも１つのブリッジデバイスは通知情報を提示し、メモリ１８は、少なくとも１つのブリッジデバイスの識別子のソフトウェアコード、通知情報のソフトウェアコード及び通信イベントのソフトウェアコードと共に、上述のプロセスを完了させるように中央デバイスを制御するソフトウェアプログラムを記憶するように構成され、したがって、プロセッサ１６は、上述のソフトウェアプログラムの実行し、上述のソフトウェアコードの呼び出すことによって上述のプロセスを完了させている。
【０２６４】
任意選択では、パラメータ情報が実際距離及び変換距離のうちの少なくとも１つであり、所定の条件は第１の所定の条件を有し、ここで、第１の所定の条件は、当該距離が最短であるか、又は当該距離が第１の所定の閾値未満であることであるか、又は
パラメータ情報が伝送信号強度であり、所定の条件は第２の所定の条件を有し、ここで、第２の所定の条件は、当該信号強度が最も強いか、又は当該信号強度が第２の所定の閾値より大きいことであるか、又は
パラメータ情報が候補ブリッジデバイスの位置情報及びウェアラブルデバイスの位置情報であり、所定の条件は第３の所定の条件を有し、ここで、第３の所定の条件は、所定の地理的範囲が充足されることである。
【０２６５】
任意選択では、実際距離は、受信機１５が候補ブリッジデバイスによって報告された候補ブリッジデバイスの位置情報及びウェアラブルデバイスの位置情報を取得した後に、受信機１５によって取得された候補ブリッジデバイスの位置情報及びウェアラブルデバイスの位置情報に従ってプロセッサ１６によって決定されている。
【０２６６】
伝送信号強度は、候補ブリッジデバイスによって報告され、受信機１５によって取得された情報に従ってプロセッサ１６によって決定されている。
【０２６７】
変換距離は、伝送信号強度に従った計算を通じてプロセッサ１５によって取得されている。
【０２６８】
任意選択では、パラメータ情報は提示能力をさらに含み、所定の条件は第４の所定の条件を有し、ここで、第４の所定の条件は、画像が提示されるか、又は画像と音声が提示されることである。
【０２６９】
プロセッサ１６によって決定される実際距離が第１の所定の条件を満たし、提示能力は第４の所定の条件を満たすか、又は
プロセッサ１６によって計算される変換距離が第１の所定の条件を満たし、提示能力は第４の所定の条件を満たすか、又は
プロセッサ１６によって決定される伝送信号強度が第２の所定の条件を満たし、提示能力は第４の所定の条件を満たすか、又は
プロセッサ１６によって収集される候補ブリッジデバイスの位置情報及びウェアラブルデバイスの位置情報が第３の所定の条件を満たし、提示能力は第４の所定の条件を満たすか、又は
実際距離が第１の所定の条件を満たし、伝送信号強度が第２の所定の条件を満たし、提示能力は第４の所定の条件を満たすか、又は
変換距離が第１の所定の条件を満たし、伝送信号強度が第２の所定の条件を満たし、提示能力は第４の所定の条件を満たすか、又は
実際距離が第１の所定の条件を満たし、候補ブリッジデバイスの位置情報及びウェアラブルデバイスの位置情報が第３の所定の条件を満たし、提示能力は第４の所定の条件を満たすか、又は
変換距離が第１の所定の条件を満たし、候補ブリッジデバイスの位置情報及びウェアラブルデバイスの位置情報が第３の所定の条件を満たし、提示能力が第４の所定の条件を満たす。
【０２７０】
任意選択では、送信機１７は、プロセッサ１６が少なくとも１つのブリッジデバイスの識別子を決定する前に、リクエストメッセージを候補ブリッジデバイスに個別に送信するよう更に構成され、ここで、リクエストメッセージは、情報報告サービスを個別に提供するように候補ブリッジデバイスに要求するために使用され、当該情報報告サービスは、位置情報報告サービス、伝送信号強度報告サービス、又は位置情報報告サービスと伝送信号強度報告サービスであり、
ここで、情報報告サービスは位置情報報告サービスであり、パラメータ情報は、候補ブリッジデバイスとウェアラブルデバイスとの間の実際距離、及び候補ブリッジデバイスの位置情報とウェアラブルデバイスの位置情報、のうちの少なくとも１つを含むか、又は
情報報告サービスは伝送信号強度報告サービスであり、パラメータ情報は、候補ブリッジデバイスとウェアラブルデバイスとの間の変換距離及び候補ブリッジデバイスとウェアラブルデバイスとの間の伝送信号強度のうちの少なくとも１つを含むか、又は
情報報告サービスは位置情報報告サービス及び伝送信号強度報告サービスであり、パラメータ情報は、候補ブリッジデバイスとウェアラブルデバイスとの間の実際距離、候補ブリッジデバイスの位置情報とウェアラブルデバイスの位置情報、並びに候補ブリッジデバイスとウェアラブルデバイスとの間の変換距離及び候補ブリッジデバイスとウェアラブルデバイスとの間の伝送信号強度のうちの少なくとも１つ、を含む。
【０２７１】
任意選択では、中央デバイスは、ユーザ装置、候補ブリッジデバイス又はウェアラブルデバイスである。
【０２７２】
ユーザ装置は、スマートフォン、コンピュータ又はタブレットコンピュータなどの電子デバイスであってもよく、中央デバイスは、通信イベントを察知可能なデバイスであってもよいことに留意すべきである。
【０２７３】
本発明のこの実施形態で提供される中央デバイスによれば、中央デバイスは、通信イベントを察知し、中央デバイスは、候補ブリッジデバイスのパラメータ情報に従って少なくとも１つのブリッジデバイスの識別子を決定し、ここで、少なくとも１つのブリッジデバイスのパラメータ情報は所定の条件を満たし、候補ブリッジデバイスのパラメータ情報は、候補ブリッジデバイスとウェアラブルデバイスとの間の実際距離、候補ブリッジデバイスとウェアラブルデバイスとの間の変換距離、候補ブリッジデバイスとウェアラブルデバイスとの間の伝送信号強度、及び候補ブリッジデバイスの位置情報とウェアラブルデバイスの位置情報、のうちの少なくとも１つを含み、最終的に、中央デバイスは、少なくとも１つのブリッジデバイスの識別子に従って、通信イベントに対応する通知情報を少なくとも１つのブリッジデバイスに送信し、少なくとも１つのブリッジデバイスは通知情報を提示する。この解決策によると、中央デバイスは、少なくとも１つのブリッジデバイスを使用することによって通信イベントに対応する通知情報を提示可能であり、少なくとも１つのブリッジデバイスは、パラメータ情報が所定の条件を満たすブリッジデバイスであり、すなわち、中央デバイスは、ウェアラブルデバイスからの距離又は報告された伝送信号強度が特定の条件を満たす少なくとも１つのブリッジデバイスを選択し、通知情報の提示を保証し、したがって、通知情報は所定の条件に従って柔軟に提示可能である。
【０２７４】
図１３に示したように、本発明のこの実施形態は、ブリッジデバイス側における通信イベント通知方法に対応するブリッジデバイスを提供する。ブリッジデバイスは、受信機２４、プロセッサ２５、送信機２６及びメモリ２７を含むものであってもよく、ここで、受信機２４、送信機２６及びメモリ２７のすべてはプロセッサ２５に接続され、例えば、送信機２６、受信機２４及びメモリ２７のすべては、バスを使用することによってプロセッサ２５に接続されてもよい。
【０２７５】
受信機２４及び送信機２６は、送受信機を成すように一体に統合されてもよい。
【０２７６】
プロセッサ２５は、本発明のこの実施形態を実現するように構成された中央処理ユニット、又は特定用途向け集積回路、又は１つ若しくは複数の集積回路であってもよい。
【０２７７】
メモリ２７は、実行可能プログラムコードを記憶するよう構成されてもよく、ここで、プログラムコードはコンピュータ演算命令を含む。メモリ２７は、高速ＲＡＭメモリを有してもよく、また不揮発性メモリ、例えば、少なくとも１つのディスクメモリを有してもよい。
【０２７８】
受信機２４は、ウェアラブルデバイスによって送信された伝送信号を受信するように構成されており、プロセッサ２５は、受信機２４によって受信された伝送信号に従って、ブリッジデバイスのリファレンス情報を決定するように構成され、ここで、ブリッジデバイスのリファレンス情報は、ブリッジデバイスの位置情報及びウェアラブルデバイスの位置情報を含むか、又は伝送信号の伝送信号強度を含むか、又はブリッジデバイスの位置情報、ウェアラブルデバイスの位置情報及び伝送信号強度を含み、送信機２６は、プロセッサ２５によって決定されたリファレンス情報を中央デバイスに報告し、これにより、中央デバイスは、すべての候補ブリッジデバイスによって報告されたリファレンス情報に従って対応するパラメータ情報を決定し、パラメータ情報に従って少なくとも１つのブリッジデバイスの識別子を決定し、少なくとも１つのブリッジデバイスの識別子に従って、通信イベントに対応する通知情報を少なくとも１つのブリッジデバイスに送信し、ここで、少なくとも１つのブリッジデバイスのパラメータ情報は所定の条件を満たし、メモリ２７は、リファレンス情報のソフトウェアコード、通知情報のソフトウェアコード及び上述のプロセスを完了させるようにブリッジデバイスを制御するソフトウェアプログラムを記憶するように構成されてもよく、したがって、プロセッサ２５は、上述のソフトウェアプログラムを実行し、上述のソフトウェアコードを呼び出すことによって上述のプロセスを完了させている。
【０２７９】
任意選択では、図１４に示したように、ブリッジデバイスはディスプレイ２８をさらに含む。受信機２４、送信機２６、メモリ２７及びディスプレイ２８のすべては、プロセッサ２５に接続され、例えば、受信機２４、送信機２６、メモリ２７及びディスプレイ２８のすべては、バスを使用することによってプロセッサ２５に接続されてもよい。
【０２８０】
受信機２４は、送信機２６がウェアラブルデバイスに対応する中央デバイスにリファレンス情報を報告した後に、中央デバイスによって送信された通知情報を受信するようにさらに構成されている。
【０２８１】
ディスプレイ２８は、ブリッジデバイスの提示能力に従って、受信機２４によって受信された通知情報を提示するように構成されている。
【０２８２】
ディスプレイ２８は、ビデオとオーディオを表示可能であることに留意すべきである。ディスプレイ２８は、例えば、ＬＣＤ（Ｌｉｑｕｉｄ  Ｃｒｙｓｔａｌ  Ｄｉｓｐｌａｙ、液晶ディスプレイ）、ＯＬＥＤ（Ｏｒｇａｎｉｃ  Ｌｉｇｈｔ−Ｅｍｉｔｔｉｎｇ  Ｄｉｏｄｅ、有機発光ダイオード）、及びＦＥＤ（ｆｉｅｌｄ  ｅｍｉｓｓｉｏｎ  ｄｉｓｐｌａｙ、電界放出ディスプレイ）の形態で配置される表示パネルなどの表示パネルを含むものであってもよい。あるいは、ディスプレイ２８は、例えば、電気泳動（ｅｌｅｃｔｒｏｐｈｏｒｅｔｉｃ）ディスプレイ又は干渉光変調（Ｉｎｔｅｒｆｅｒｏｍｅｔｒｉｃ  Ｍｏｄｕｌａｔｉｏｎ  ｏｆ  Ｌｉｇｈｔ）の技術を利用するディスプレイなどの反射式ディスプレイであってもよい。ディスプレイ２８は、単一のディスプレイ又はサイズが異なる複数のディスプレイであってもよい。
【０２８３】
本発明の具体的な実装方式では、ディスプレイ２８は、プロセッサ２５によって出力されたビデオをフィルタ処理及び増幅するように構成されたフィルタ及び増幅器を含むものであってもよい。ディスプレイ２８は、プロセッサ２５により出力されたオーディオ信号をデジタル形式からアナログ形式に変換するように構成されたデジタル対アナログ変換器をさらに含むものであってもよい。
【０２８４】
任意選択では、ブリッジデバイスのリファレンス情報は、ブリッジデバイスの位置情報、ウェアラブルデバイスの位置情報及びブリッジデバイスの提示能力を含むか、又は伝送信号の伝送信号強度及びブリッジデバイスの提示能力を含むか、又はブリッジデバイスの位置情報、ウェアラブルデバイスの位置情報、伝送信号強度及びブリッジデバイスの提示能力を含む。
【０２８５】
任意選択では、受信機２４は、ウェアラブルデバイスによって送信された伝送信号を受信する前に、中央デバイスにより送信されたリクエストメッセージを受信するよう更に構成され、ここで、リクエストメッセージは、情報報告サービスを提供するようにブリッジデバイスに要求するために使用され、当該情報報告サービスは、位置情報報告サービス、伝送信号強度報告サービス、又は位置情報報告サービスと伝送信号強度報告サービスであり、
ここで、情報報告サービスが位置情報報告サービスであり、パラメータ情報は、候補ブリッジデバイスとウェアラブルデバイスとの間の実際距離、及び候補ブリッジデバイスの位置情報とウェアラブルデバイスの位置情報、のうちの少なくとも１つを含むか、又は
情報報告サービスが伝送信号強度報告サービスであり、パラメータ情報は、候補ブリッジデバイスとウェアラブルデバイスとの間の変換距離及び候補ブリッジデバイスとウェアラブルデバイスとの間の伝送信号強度のうちの少なくとも１つを含むか、又は
情報報告サービスが位置情報報告サービスと伝送信号強度報告サービスであり、パラメータ情報は、候補ブリッジデバイスとウェアラブルデバイスとの間の実際距離、候補ブリッジデバイスの位置情報とウェアラブルデバイスの位置情報、並びに候補ブリッジデバイスとウェアラブルデバイスとの間の変換距離及び候補ブリッジデバイスとウェアラブルデバイスとの間の伝送信号強度のうちの少なくとも１つ、を含む。
【０２８６】
ブリッジデバイスは、例えば、携帯電話、モバイル電源、タブレットコンピュータ、携帯情報端末、コンピュータ、メディアプレーヤ、スマートテレビ、サウンドボックス、スマート冷蔵庫、エアコン、湯沸器、電子レンジ及びトレッドミルなど、スマート家電及び電子デバイスを含んでもよいことに留意すべきである。本発明のこの実施形態におけるブリッジデバイスは、伝送信号を送信及び／又は受信可能なスマートデバイスであってもよい。
【０２８７】
本発明のこの実施形態で提供されるブリッジデバイスによれば、ブリッジデバイスは、ウェアラブルデバイスによって送信された伝送信号を受信し、ブリッジデバイスは、伝送信号に従ってブリッジデバイスのリファレンス情報を決定し、ここで、ブリッジデバイスのリファレンス情報は、ブリッジデバイスの位置情報及びウェアラブルデバイスの位置情報を含むか、又は伝送信号の伝送信号強度を含むか、又はブリッジデバイスの位置情報、ウェアラブルデバイスの位置情報及び伝送信号強度を含み、ブリッジデバイスは、中央デバイスにリファレンス情報を報告し、これにより、中央デバイスは、すべての候補ブリッジデバイスによって報告されたリファレンス情報に従って対応するパラメータ情報を決定し、パラメータ情報に従って少なくとも１つのブリッジデバイスの識別子を決定し、少なくとも１つのブリッジデバイスの識別子に従って、通信イベントに対応する通知情報を少なくとも１つのブリッジデバイスに送信し、ここで、少なくとも１つのブリッジデバイスのパラメータ情報は所定の条件を満たす。この解決策によると、中央デバイスは、少なくとも１つのブリッジデバイスを使用することによって、通信イベントに対応する通知情報を提示することが可能であり、少なくとも１つのブリッジデバイスのパラメータ情報は所定の条件を満たし、すなわち、中央デバイスは、ウェアラブルデバイスからの距離又は報告された伝送信号強度が特定の条件を満たす少なくとも１つのブリッジデバイスを選択し、通知情報の提示を保証し、したがって、通知情報は所定の条件に従って柔軟に提示可能である。
【０２８８】
図１５に示したように、本発明のこの実施形態は、ウェアラブルデバイス側における通信イベント通知方法に対応するウェアラブルデバイスを提供する。このウェアラブルデバイスは、送信機３２及び受信機３３を含むものであってもよい。
【０２８９】
受信機３２及び送信機３３は、送受信機を成すように一体に統合されてもよい。
【０２９０】
送信機３２は、複数の候補ブリッジデバイスに第１の伝送信号を送信し、これにより、第１の伝送信号に従って複数のリファレンス情報を別々に取得した後に、複数の候補ブリッジデバイスは、複数のリファレンス情報を中央デバイスに送信し、中央デバイスは、複数のリファレンス情報に従って複数のパラメータ情報を決定し、複数の候補ブリッジデバイスから、パラメータ情報が所定の条件を満たす少なくとも１つのブリッジデバイスの識別子を決定し、少なくとも１つのブリッジデバイスの識別子に従って、通信イベントに対応する通知情報を少なくとも１つのブリッジデバイスに送信し、少なくとも１つのブリッジデバイスは通知情報を提示し、ここで、通知情報は、通信イベントが察知された後に通信イベントに従って取得された情報であり、中央デバイスはウェアラブルデバイスに対応する。
【０２９１】
受信機３２は、送信機３３が第１の伝送信号を複数の候補ブリッジデバイスに送信する前に、複数の候補ブリッジデバイスによって別々に送信された第２の伝送信号を受信するように構成されている。
【０２９２】
送信機３３は、受信機３２によって受信された第２の伝送信号に従って第１の伝送信号を複数の候補ブリッジデバイスに送信するようにさらに構成され、ここで、ウェアラブルデバイスの識別子は、第１の伝送信号で伝達されており、第１の伝送信号を送信するようにウェアラブルデバイスに要求するためのメッセージは、第２の伝送信号で伝達されている。
【０２９３】
任意選択では、送信機３３によって送信される第１の伝送信号は、第１のＢｌｕｅｔｏｏｔｈブロードキャスト信号である。
【０２９４】
受信機３２によって受信される第２の伝送信号は、第２のＢｌｕｅｔｏｏｔｈブロードキャスト信号である。
【０２９５】
任意選択では、複数の候補ブリッジデバイスは、信号強度報告サービスを有するブリッジデバイスであり、複数の候補ブリッジデバイス及び中央デバイスは、同じネットワークに属する。
【０２９６】
ウェアラブルデバイスは、メガネ、手袋、時計、宝飾品、衣服、又は靴などのスマートウェアラブルデバイスであることに留意すべきである。現在のウェアラブルデバイスは、スマートウォッチ、スマートバンド、頭部装着ディスプレイ、スマートシューズ、電子ドラムマシン、Ｔシャツ、等を含む。本発明のこの実施形態におけるウェアラブルデバイスは、ユーザにより持ち運び可能であって、伝送信号を送信可能なスマートデバイスであってもよい。
【０２９７】
本発明のこの実施形態で提供されるウェアラブルデバイスによれば、ウェアラブルデバイスは、複数の候補ブリッジデバイスに第１の伝送信号を送信し、これにより、第１の伝送信号に従って複数のリファレンス情報を別々に取得した後に、複数の候補ブリッジデバイスは、複数のリファレンス情報を中央デバイスに送信し、中央デバイスは、複数のリファレンス情報に従って複数のパラメータ情報を決定し、複数の候補ブリッジデバイスから、パラメータ情報が所定の条件を満たす少なくとも１つのブリッジデバイスの識別子を決定し、少なくとも１つのブリッジデバイスの識別子に従って、通信イベントに対応する通知情報を少なくとも１つのブリッジデバイスに送信し、少なくとも１つのブリッジデバイスはこの通知情報を提示し、ここで、通知情報は、通信イベントが察知された後に通信イベントに従って収集された情報であり、中央デバイスはウェアラブルデバイスに対応する。この解決策によると、中央デバイスは、少なくとも１つのブリッジデバイスを使用することによって、通信イベントに対応する通知情報を提示することが可能であり、少なくとも１つのブリッジデバイスは、パラメータ情報が所定の条件を満たすブリッジデバイスであり、すなわち、中央デバイスは、ウェアラブルデバイスからの距離又は報告された伝送信号強度が特定の条件を満たす少なくとも１つのブリッジデバイスを選択し、通知情報の提示を保証し、したがって、通知情報は所定の条件に従って柔軟に提示可能である。
実施形態５
【０２９８】
図１６に示したように、本発明のこの実施形態は、
実施形態１又は実施形態２で説明した少なくとも１つの中央デバイス１と、実施形態１又は実施形態２において中央デバイスと通信する少なくとも１つのブリッジデバイス２及び少なくとも１つのウェアラブルデバイス３と、を含む通信イベント通知システムを提供する。
【０２９９】
本発明のこの実施形態で提供される通信イベント通知システムは、中央デバイス側における通信イベント通知方法、ブリッジデバイス側における通信イベント通知方法、又はウェアラブルデバイス側における通信イベント通知方法に対応する。中央デバイス側における通信イベント通知方法が、以下で一例として例証される。
【０３００】
任意選択では、スマートホームシステムにおいて、中央デバイスは、通信イベントを察知し、中央デバイスは、候補ブリッジデバイスのパラメータ情報に従って少なくとも１つのブリッジデバイスの識別子を決定し、ここで、少なくとも１つのブリッジデバイスのパラメータ情報は所定の条件を満たし、候補ブリッジデバイスのパラメータ情報は、候補ブリッジデバイスとウェアラブルデバイスとの間の実際距離、候補ブリッジデバイスとウェアラブルデバイスとの間の変換距離、候補ブリッジデバイスとウェアラブルデバイスとの間の伝送信号強度、及び候補ブリッジデバイスの位置情報とウェアラブルデバイスの位置情報、のうちの少なくとも１つを含み、最終的に、中央デバイスは、少なくとも１つのブリッジデバイスの識別子に従って、通信イベントに対応する通知情報を少なくとも１つのブリッジデバイスに送信し、少なくとも１つのブリッジデバイスが通知情報を提示する。この解決策によると、中央デバイスは、少なくとも１つのブリッジデバイスを使用することによって通信イベントに対応する通知情報を提示することが可能であり、少なくとも１つのブリッジデバイスは、パラメータ情報が所定の条件を満たすブリッジデバイスであり、すなわち、中央デバイスは、ウェアラブルデバイスからの距離又は報告された伝送信号強度が特定の条件を満たす少なくとも１つのブリッジデバイスを選択し、通知情報の提示を保証し、したがって、通知情報は所定の条件に従って柔軟に提示可能である。
【０３０１】
便宜及び簡潔な説明のため、上述の機能モジュールの区分が例証のための一例として取られたものであることは、当業者によって明瞭に理解されうる。実際の用途では、上述の機能は、要件に応じて異なる機能モジュールに割り当て、実装可能であり、すなわち、上述の機能のうちの全部又は一部を実装するように装置の内部構造は、異なる機能モジュールに分割される。上述のシステム、装置及びユニットの詳細な作用プロセスについては、上述の方法の実施形態における対応するプロセスを参照することができ、したがって詳細をここでは再度記載していない。
【０３０２】
本用途で提供される幾つかの実施形態において、開示したシステム、装置及び方法が他の方式で実装される得ることを理解すべきである。例えば、記載した装置の実施形態は単なる例示である。例えば、モジュール又はユニット区分は、単なる論理的な機能区分であり、実際の実装形態では他の区分であってもよい。例えば、複数のユニット又は構成要素が別のシステムに合成若しくは一体化されてもよく、又は幾つかの特徴が無視若しくは実行されなくてもよい。さらに、表示又は検討した相互結合又は直接的な結合又は通信接続は、幾つかのインターフェースを通じて実現されてもよい。装置又はユニットの間の間接的な結合又は通信接続は、電子的形態、機械的形態又は他の形態で実現されてもよい。
【０３０３】
別々の部分として説明したユニットは、物理的に別々のものであってもよいし、又はそうでなくてもよく、ユニットとして表示した部分は、物理的なユニットであってもよいし、又は物理的なユニットでなくてもよく、１つの位置に配置されてもよく、又は複数のネットワークユニット上に分散されてもよい。ユニットのうちの一部又は全部が、実施形態の解決策の課題を実現するため実際の要求に従って選択されてもよい。
【０３０４】
さらに、本発明の実施形態における機能ユニットは、１つの処理ユニットに統合されてもよいし、又はユニットの各々は、物理的に単独で存在してもよいし、又は２つ以上のユニットが１つのユニットに統合される。統合されるユニットは、ハードウェアの形態で実現されてもよいし、又はソフトウェア機能ユニットの形態で実現されてもよい。
【０３０５】
統合されたユニットがソフトウェア機能ユニットの形態で実現され、独立の製品として販売又は使用されるとき、統合されたユニットは、コンピュータ可読記憶媒体に記憶されてもよい。このような理解に基づいて、本発明の技術的解決策は、実質的に、又は従来技術に寄与する部分、又は技術的解決策のうちの全部又は一部は、ソフトウェア製品の形態で実現されてもよい。ソフトウェア製品は、記憶媒体内に記憶され、コンピュータデバイス（パーソナルコンピュータ、サーバ又はネットワークデバイスであってもよい）又はプロセッサ（ｐｒｏｃｅｓｓｏｒ）に対して、本発明の実施形態で説明した方法のステップのうちの全部又は一部を実行するように指令するための幾つかの命令を含む。上述の記憶媒体は、ＵＳＢフラッシュドライブ、着脱可能なハードディスク、読出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクなど、プログラムコードの記憶が可能な任意の媒体を含む。
【０３０６】
上述の説明は単なる本発明の特定の実現方式であり、本発明の保護範囲を限定することを意図したものではない。本発明において開示された技術的範囲内において当業者により容易に考え出される変形や置換はいずれも、本発明の保護範囲内にあるものとする。したがって、本発明の保護範囲は本特許請求の範囲の保護範囲に従うものとする。
【図１】
0006263612.tif 000002
【図２】
0006263612.tif 000003
【図３】
0006263612.tif 000004
【図４Ａ】
0006263612.tif 000005
【図４Ｂ】
0006263612.tif 000006
【図５Ａ】
0006263612.tif 000007
【図５Ｂ】
0006263612.tif 000008
【図６】
0006263612.tif 000009
【図７】
0006263612.tif 000010
【図８】
0006263612.tif 000011
【図９】
0006263612.tif 000012
【図１０】
0006263612.tif 000013
【図１１】
0006263612.tif 000014
【図１２】
0006263612.tif 000015
【図１３】
0006263612.tif 000016
【図１４】
0006263612.tif 000017
【図１５】
0006263612.tif 000018
【図１６】
0006263612.tif 000019